(57)【要約】  本開示は、患者監視システムの一部であるホストデバイスを含む。ホストデバイスは、患者モニタ、人工呼吸器、麻酔ガスマシン、または静脈内(IV)ポンプなどの複数の統合されたまたは非統合のデバイスからのリアルタイム患者データおよびアラームの統合された表示を提示する、改善され、組織化され、整頓された、視覚的に豊かな表示を提供することができる。ホストデバイスは、複数のデバイスによって収集された患者データの補足表示を提供し、包括的なリアルタイム患者ステータス、履歴傾向、またはアラームインジケータなどの情報を、特定の臨床シナリオについて組織化された方法で提示してもよい。1つまたは複数の表示は、患者のためのケアチームにとって中心であり得、ケアチームは、提示された情報を一緒に同時に見て、それに基づいて行動することができる。
2021500128.tif 000002
【特許請求の範囲】
【請求項１】
外科ケア設定において複数の臨床医にリアルタイムかつタイムクリティカルな生理学的パラメータを提供するための改善された画面表示であって、前記改善された画面表示が、
患者について監視される複数の生理学的パラメータの測定値を提示するように構成された複数の表示領域であって、前記複数の表示領域が第1の表示領域と第2の表示領域とを備える、複数の表示領域を備え、
前記第1の領域が、前記患者に関する第1の生理学的システムに対応する前記複数の生理学的パラメータの第1のセットの前記測定値を提示するように構成され、
前記第2の領域が、前記第1の生理学的システムとは異なる前記患者に関する第2の生理学的システムに対応する前記複数の生理学的パラメータの第2のセットの前記測定値を提示するように構成される、
改善された画面表示。
【請求項２】
前記第1の生理学的システムおよび前記第2の生理学的システムが、前記患者に関する循環動態監視、前記患者に関する酸素化監視、または前記患者に関する鎮静監視のうちの1つに各々対応する、請求項1に記載の改善された画面表示。
【請求項３】
前記第1の生理学的システムおよび前記第2の生理学的システムが、前記患者の呼吸器系、前記患者の血管系、または前記患者の神経系のうちの1つに各々対応する、請求項1または2に記載の改善された画面表示。
【請求項４】
前記第1の表示領域が、前記第1のセットに関する前記測定値とともに示される前記患者の少なくとも一部のグラフィカル表現を備える、請求項1から3のいずれか一項に記載の改善された画面表示。
【請求項５】
前記患者の前記少なくとも一部と前記第1のセットに関する前記測定値との間の関連が、前記グラフィカル表現の部分と前記第1のセットに関する前記測定値との間の関連として前記第1の表示領域内に示される、請求項4に記載の改善された画面表示。
【請求項６】
前記第1の表示領域が、第1のユーザ選択に応答して前記第2の表示領域の代わりに提示されるように構成され、前記第2の表示領域が、第2のユーザ選択に応答して前記第1の表示領域の代わりに提示されるように構成される、請求項1から5のいずれか一項に記載の改善された画面表示。
【請求項７】
前記第1のセットが前記第2のセットとは異なる、請求項1から6のいずれか一項に記載の改善された画面表示。
【請求項８】
前記第1の表示領域上の前記第1のセットの位置が最初に自動的に割り当てられる、請求項1から7のいずれか一項に記載の改善された画面表示。
【請求項９】
前記第1の表示領域上の前記第1のセットの前記位置がユーザによって調節可能である、請求項8に記載の改善された画面表示。
【請求項１０】
前記第1の表示領域上の前記第1のセットの位置がドラッグアンドドロップアクションによってユーザによって調節可能である、請求項1から9のいずれか一項に記載の改善された画面表示。
【請求項１１】
前記第1の表示領域が、前記第1のセットのパラメータが入力パラメータであるかまたは出力パラメータであるかを示すために、前記第1のセットの少なくともいくつかに近接する陰影を提示するように構成される、請求項1から10のいずれか一項に記載の改善された画面表示。
【請求項１２】
外科ケア設定において複数の臨床医にリアルタイムかつタイムクリティカルな生理学的パラメータを提供するための改善された画面方法であって、前記改善された画面方法が、
患者に関する第1の生理学的システムに対応する複数の生理学的パラメータの第1のセットの測定値を備える第1の表示領域を提示するステップであって、前記複数の生理学的パラメータが前記患者について監視される、ステップと、
前記第1の生理学的システムとは異なる前記患者に関する第2の生理学的システムに対応する前記複数の生理学的パラメータの第2のセットの測定値を備える第2の表示領域を前記第1の表示領域の代わりに提示するステップと
を含む、改善された表示方法。
【請求項１３】
前記第1の生理学的システムおよび前記第2の生理学的システムが、前記患者に関する循環動態監視、前記患者に関する酸素化監視、または前記患者に関する鎮静監視のうちの1つに各々対応する、請求項12に記載の改善された表示方法。
【請求項１４】
前記第1の表示領域が、前記第1のセットに関する前記測定値とともに示される前記患者の少なくとも一部のグラフィカル表現を備える、請求項12または13に記載の改善された表示方法。
【請求項１５】
ユーザによるドラッグアンドドロップアクションに従って前記第1の表示領域上の前記第1のセットの位置を調整するステップをさらに含む、請求項12から14のいずれか一項に記載の改善された表示方法。
【請求項１６】
外科ケア設定において複数の臨床医にリアルタイムかつタイムクリティカルな生理学的パラメータを提供するための改善された画面方法であって、前記改善された画面方法が、
患者について監視されている複数の生理学的パラメータの測定値を表示するように構成された複数の表示テンプレートを提示するステップであって、前記複数の表示テンプレートのうちの少なくとも1つが、前記複数の表示テンプレートのうちの別のものと異なる位置において前記測定値を表示するように構成される、ステップと、
前記複数の表示テンプレートのうちの選択されたテンプレートの第1のユーザ選択を受信するステップと、
前記選択されたテンプレートとともに複数のパラメータを提示するステップと、
前記複数のパラメータのうちの選択されたパラメータの第2のユーザ選択を受信するステップと、
前記選択されたパラメータを前記選択されたテンプレートに取り込むステップと
を含む、改善された表示方法。
【請求項１７】
前記選択されたパラメータのうちの1つの前記測定値を数値的に表示するかまたはグラフィカルに表示するかを決定するステップをさらに含む、請求項16に記載の改善された表示方法。
【請求項１８】
ユーザ入力に応答して、前記選択されたパラメータのうちの1つの前記測定値を表示するための色またはサイズを調整するステップをさらに含む、請求項16または17に記載の改善された表示方法。
【請求項１９】
前記選択されたテンプレートを用いて、前記選択されたパラメータの前記測定値を提示するステップをさらに含む、請求項16から18のいずれか一項に記載の改善された表示方法。
【請求項２０】
前記選択されたテンプレートが人体の画像を備える、請求項16から19のいずれか一項に記載の改善された表示方法。
【請求項２１】
前記測定値に応答して前記人体の前記画像をアニメーション化するステップをさらに含む、請求項20に記載の改善された表示方法。
【請求項２２】
外科ケア設定において複数の臨床医にリアルタイムかつタイムクリティカルな生理学的パラメータを提供するための改善された画面表示であって、前記改善された画面表示が、
患者について監視される複数の生理学的パラメータの測定値を提示するように構成された複数の表示領域であって、前記複数の表示領域が第1の表示領域と第2の表示領域とを備える、複数の表示領域を備え、
前記第1の領域が、前記複数の生理学的パラメータの第1のセットに関する前記測定値を提示し、前記患者に関する第1の臨床シナリオに従って前記第1のセットに関する前記測定値を編成するように構成され、
前記第2の領域が、前記複数の生理学的パラメータの第2のセットに関する前記測定値を提示し、前記第1の臨床シナリオとは異なる前記患者に関する第2の臨床シナリオに従って前記第2のセットに関する前記測定値を編成するように構成される、
改善された画面表示。
【請求項２３】
前記第1の臨床シナリオおよび前記第2の臨床シナリオが、前記患者に関する循環動態監視、前記患者に関する酸素化監視、または前記患者に関する鎮静監視のうちの1つに各々対応する、請求項22に記載の改善された画面表示。
【請求項２４】
前記第1の表示領域が、前記第1のセットに関する前記測定値とともに示される前記患者の少なくとも一部のグラフィカル表現を備える、請求項22または23に記載の改善された画面表示。
【請求項２５】
前記患者の前記少なくとも一部と前記第1のセットに関する前記測定値との間の関連が、前記グラフィカル表現の部分と前記第1のセットに関する前記測定値との間の関連として前記第1の表示領域内に示される、請求項24に記載の改善された画面表示。
【請求項２６】
前記第1の表示領域が、第1のユーザ選択に応答して前記第2の表示領域の代わりに提示されるように構成され、前記第2の表示領域が、第2のユーザ選択に応答して前記第1の表示領域の代わりに提示されるように構成される、請求項22から25のいずれか一項に記載の改善された画面表示。
【請求項２７】
前記第1のセットが前記第2のセットとは異なる、請求項22から26のいずれか一項に記載の改善された画面表示。
【請求項２８】
多くの生理学的パラメータの測定の改善された表示を用いて患者の前記多くの生理学的パラメータを監視するように構成された医療監視デバイスであって、前記医療監視デバイスが、
第1の測定データと第2の測定データとを受信するように構成された入力-出力インターフェースであって、前記第1の測定データが患者を監視する第1の電子デバイスによって収集され、前記第2の測定データが前記患者を監視する第2の電子デバイスによって収集され、前記第2の電子デバイスが前記第1の電子デバイスとは異なる、入力-出力インターフェースと、
提示のために前記第1の測定データと前記第2の測定データとを出力するように構成された1つまたは複数のプロセッサと、
前記第1の測定データの第1のセットと前記第2の測定データの第1のセットとを、前記第1の測定データの前記第1のセットおよび前記第2の測定データの前記第1のセットが前記患者に関する第1の医療治療ユースケースに対応するという第1の指標とともに提示し、
前記第1の測定データの第2のセットと前記第2の測定データの第2のセットとを、前記第1の測定データの前記第2のセットおよび前記第2の測定データの前記第2のセットが前記第1の医療治療ユースケースとは異なる前記患者に関する第2の医療治療ユースケースに対応するという第2の指標とともに提示する
ように構成されたディスプレイと
を備え、
前記ディスプレイが、ユーザ入力に応答して、前記第1の測定データの前記第1のセット、前記第2の測定データの前記第1のセット、および前記第1の指標の代わりに、前記第1の測定データの前記第2のセットと、前記第2の測定データの前記第2のセットと、前記第2の指標とを提示するように構成される、
医療監視デバイス。
【請求項２９】
前記第1の指標が循環動態を示す、請求項28に記載の医療監視デバイス。
【請求項３０】
前記第2の指標が酸素化を示す、請求項29に記載の医療監視デバイス。
【請求項３１】
前記第2の指標が鎮静を示す、請求項29に記載の医療監視デバイス。
【請求項３２】
前記第1の測定データの前記第1のセットおよび前記第1の測定データの前記第2のセットが重複する測定データを含む、請求項28から31のいずれか一項に記載の医療監視デバイス。
【請求項３３】
前記第1の測定データの前記第1のセットが、前記第1の測定データの前記第2のセット内に含まれない測定データを含む、請求項28から32のいずれか一項に記載の医療監視デバイス。
【請求項３４】
前記第1の測定データの前記第1のセットおよび前記第1の測定データの前記第2のセットが重複する測定データを含まない、請求項28から33のいずれか一項に記載の医療監視デバイス。
【請求項３５】
患者の生理学的パラメータを監視するように構成された医療監視デバイスであって、前記医療監視デバイスが、
患者に関連付けられた複数の電子デバイスによって収集された測定データを受信するように構成された入力-出力インターフェースと、
前記複数の電子デバイスを使用して前記患者について監視される複数のパラメータの複数の上アラーム限界範囲および複数の下アラーム限界範囲を提示するように構成されたディスプレイと、
前記複数のパラメータのうちの第1のパラメータに関する第1のアラーム限界範囲を調整することを示す第1のユーザ入力と、前記第1のパラメータとは異なる前記複数のパラメータのうちの第2のパラメータに関する第2のアラーム限界範囲を調整することを示す第2のユーザ入力とを受信することであって、前記第1のパラメータが前記複数の電子デバイスのうちの第1の電子デバイスを使用して監視され、前記第2のパラメータが前記複数の電子デバイスのうちの第2の電子デバイスを使用して監視される、ことと、
前記第1のユーザ入力に応答して、前記第1のパラメータに関する前記第1のアラーム限界範囲を調整するために、第1の命令を生成し、前記第1の命令を第3の電子デバイスに送信することと、
前記第2のユーザ入力に応答して、前記第2のパラメータに関する前記第2のアラーム限界範囲を調整するために、第2の命令を生成し、前記第2の命令を前記第3の電子デバイスに送信すること
とを行うように構成された1つまたは複数のプロセッサと
を備える、
医療監視デバイス。
【請求項３６】
前記1つまたは複数のプロセッサが、コンピュータネットワークを介して前記第1の命令と前記第2の命令とを前記第3の電子デバイスに送信するように構成される、請求項35に記載の医療監視デバイス。
【請求項３７】
前記1つまたは複数のプロセッサが、コンピュータネットワークを介して前記第3の電子デバイスから前記測定データを受信するように構成される、請求項35または36に記載の医療監視デバイス。
【請求項３８】
患者の生理学的パラメータを監視するように構成されたホストデバイスであって、前記ホストデバイスが、
患者に関連付けられた複数の電子デバイスによって収集された測定データを受信するように構成された入力-出力インターフェースと、
ディスプレイと、
監視システムと通信するように接続された前記複数の電子デバイスのグループに少なくとも基づいて画面のレイアウトを決定し、
前記ディスプレイ上の提示のために前記レイアウトにおいて前記画面を出力する
ように構成された1つまたは複数のプロセッサと
を備える、
ホストデバイス。
【請求項３９】
前記レイアウトが、複数の生理学的パラメータの前記測定データを提示するための複数の表示領域を備える、請求項38に記載のホストデバイス。
【請求項４０】
前記1つまたは複数のプロセッサが、前記監視システムからの前記複数の電子デバイスのうちの1つの接続または切断に応答して前記レイアウトを調整するように構成される、請求項38または39に記載のホストデバイス。
【請求項４１】
前記複数の電子デバイスがポイントオブケアデバイスを備える、請求項38から40のいずれか一項に記載のホストデバイス。
【請求項４２】
前記入力-出力インターフェースが、前記監視システムを介して前記複数の電子デバイスから前記測定データを受信するように構成され、前記監視システムが、前記複数の電子デバイスに接続するためのインターフェースポートを備え、前記複数の電子デバイスから受信されたセンサデータを分析するように構成される、請求項38から41のいずれか一項に記載のホストデバイス。
【請求項４３】
前記入力-出力インターフェースと、前記ディスプレイと、前記1つまたは複数のプロセッサとを支持するように構成されたモバイルデバイスハウジングまたはテレビジョンハウジングをさらに備える、請求項38から42のいずれか一項に記載のホストデバイス。
【請求項４４】
前記レイアウトが、患者の身体の少なくとも一部の三次元(3D)画像を含み、前記1つまたは複数のプロセッサが、少なくとも前記測定データに基づいて前記3D画像に関連するアニメーションを更新するように構成される、請求項38から43のいずれか一項に記載のホストデバイス。
【請求項４５】
前記1つまたは複数のプロセッサが、パラメータの値が閾値を超えるという判定に応答して前記ディスプレイにアラームを提示させるように構成される、請求項38から44のいずれか一項に記載のホストデバイス。
【請求項４６】
前記1つまたは複数のプロセッサが、
前記複数の電子デバイスのうちの第1の電子デバイスの設定を調整するためのユーザ入力を受信し、
前記第1の電子デバイスに前記設定を調整させるための命令を生成する
ように構成される、
請求項38から45のいずれか一項に記載のホストデバイス。
【請求項４７】
前記設定が、前記測定データに関するアラームをトリガするアラーム限界を含む、請求項46に記載のホストデバイス。
【請求項４８】
患者について監視される生理学的パラメータの測定値の表示をカスタマイズするように構成された医療監視デバイスであって、前記医療監視デバイスが、
画面レイアウトを記憶するように構成されたメモリデバイスと、
第1の表示要素に対応し、前記画面レイアウト上の第1の位置を識別する第1のユーザ入力を受信することであって、前記第1の表示要素が、患者について監視される第1の生理学的パラメータに関する第1の測定値に応答して第1の指標を提示するように構成される、ことと、
第2の表示要素に対応し、前記第1の位置とは異なる前記画面レイアウト上の第2の位置を識別する第2のユーザ入力を受信することであって、前記第2の表示要素が、前記患者について監視される第2の生理学的パラメータに関する第2の測定値に応答して第2の指標を提示するように構成され、前記第2の生理学的パラメータが前記第1の生理学的パラメータとは異なる、ことと、
前記第1のユーザ入力に従って前記画面レイアウト上の前記第1の位置に前記第1の表示要素を割り当てることと、
前記第2のユーザ入力に従って前記画面レイアウト上の前記第2の位置に前記第2の表示要素を割り当てることと
を行うように構成される1つまたは複数のプロセッサと
を備える、
医療監視デバイス。
【請求項４９】
前記第1のユーザ入力がドラッグアンドドロップアクションを含み、前記ドラッグアンドドロップアクションが、表示上の前記第1の表示要素のための供給領域における選択アクションと、前記第1の位置に近接するリリースアクションとを含む、請求項48に記載の医療監視デバイス。
【請求項５０】
前記1つまたは複数のプロセッサが、
前記第1の表示要素に対応し、前記第1の位置とは異なる前記画面レイアウト上の第3の位置を識別する第3のユーザ入力を受信し、
前記第3のユーザ入力に従って、前記第1の表示要素を前記第1の位置から前記第3の位置に再割り当てする
ように構成される、
請求項48または49に記載の医療監視デバイス。
【請求項５１】
前記第3のユーザ入力がドラッグアンドドロップアクションを含み、前記ドラッグアンドドロップアクションが、前記第1の位置に近接する選択アクションと、前記第3の位置に近接するリリースアクションとを含む、請求項50に記載の医療監視デバイス。
【請求項５２】
前記第1の指標が前記第1の測定値に関する数値を含む、請求項48から51のいずれか一項に記載の医療監視デバイス。
【請求項５３】
前記第1の指標が前記第1の測定値に関する傾向を含む、請求項48から52のいずれか一項に記載の医療監視デバイス。
【請求項５４】
前記第1の指標が前記第1の測定値に関する波形を含む、請求項48から53のいずれか一項に記載の医療監視デバイス。
【請求項５５】
前記第1の表示要素が前記第2の表示要素とは異なるサイズである、請求項48から54のいずれか一項に記載の医療監視デバイス。
【請求項５６】
前記第1の生理学的パラメータが脈拍数を含み、前記第2の生理学的パラメータが呼吸数を含む、請求項48から55のいずれか一項に記載の医療監視デバイス。
【請求項５７】
前記1つまたは複数のプロセッサが、
前記第1の表示要素に対応し、前記第1の表示要素のサイズを変更することを示す第3のユーザ入力を受信し、
前記第3のユーザ入力に従って前記第1の表示要素の前記サイズを変更する
ように構成される、
請求項48から56のいずれか一項に記載の医療監視デバイス。
【請求項５８】
前記1つまたは複数のプロセッサが、前記第3のユーザ入力に従って前記第1の表示要素の前記サイズを比例的に変更するように構成される、請求項57に記載の医療監視デバイス。
【請求項５９】
前記1つまたは複数のプロセッサが、
表示上の提示のための前記画面レイアウトを出力し、
前記第1の測定値および前記第2の測定値におけるリアルタイムの変化を反映するように前記表示上の前記第1の指標と前記第2の指標とを変更する
ように構成される、
請求項48から58のいずれか一項に記載の医療監視デバイス。
【請求項６０】
前記1つまたは複数のプロセッサが、前記第1の表示要素に関する第1の識別子と前記第2の表示要素に関する第2の識別子とを含む複数の識別子とを提示のために出力するように構成され、前記第1の識別子が、前記画面レイアウトへの割り当てのために前記第1の表示要素を選択するために使用可能であり、前記第2の識別子が、前記画面レイアウトへの割り当てのために前記第2の表示要素を選択するために使用可能である、請求項48から59のいずれか一項に記載の医療監視デバイス。
【請求項６１】
前記複数の識別子が少なくとも3つの識別子を含む、請求項60に記載の医療監視デバイス。
【請求項６２】
前記1つまたは複数のプロセッサが、前記画面レイアウトにするために複数のテンプレートからテンプレートを選択するように構成される、請求項48から61のいずれか一項に記載の医療監視デバイス。
【請求項６３】
前記1つまたは複数のプロセッサが、第3のユーザ入力に従って前記テンプレートを選択するように構成される、請求項62に記載の医療監視デバイス。
【請求項６４】
前記1つまたは複数のプロセッサが、前記第1の表示要素が前記画面レイアウト上に配置され得る領域を制限するように構成される、請求項48から63のいずれか一項に記載の医療監視デバイス。
【請求項６５】
前記1つまたは複数のプロセッサが、前記画面レイアウト上で前記第1の表示要素が前記第2の表示要素と重なることを防止するように構成される、請求項48から64のいずれか一項に記載の医療監視デバイス。
【請求項６６】
前記1つまたは複数のプロセッサが、前記第1の測定値が決定されるデータソースを調整するように構成される、請求項48から65のいずれか一項に記載の医療監視デバイス。
【請求項６７】
前記1つまたは複数のプロセッサが、第3のユーザ入力に応答して前記データソースを調整するように構成される、請求項66に記載の医療監視デバイス。
【請求項６８】
前記1つまたは複数のプロセッサが、監視デバイスへの前記データソースの接続に応答して前記データソースを調整するように構成される、請求項66に記載の医療監視デバイス。
【請求項６９】
前記1つまたは複数のプロセッサが、前記データソースを含む複数のデータソースに関する優先順位に従って前記データソースを調整するように構成される、請求項66に記載の医療監視デバイス。
【請求項７０】
前記第1のユーザ入力を検出するように構成されたタッチスクリーンディスプレイをさらに備える、請求項48から69のいずれか一項に記載の医療監視デバイス。
【発明の詳細な説明】
【技術分野】
【０００１】
国内優先権の主張が本出願の出願データシートにおいて特定されている任意のおよびすべての出願は、37CFR1.57の下で参照により本明細書に組み込まれる。
【０００２】
本開示は、全体として、患者監視システムに関し、具体的には、患者監視システムにおける患者データの統合および表示に関する。
【背景技術】
【０００３】
今日の患者監視環境は、所与の患者のための多種多様な監視および治療努力にサービスを提供する高度な電子医療デバイスで混み合っている。一般に、すべてではないかもしれないが多くのデバイスは、異なる製品からのものであり、多くは、ポータブルデバイスである可能性がある。デバイスは、互いに通信しない場合があり、各々が、独自の制御、ディスプレイ、アラーム、構成などを含む場合がある。問題を複雑にすることに、介護者は、しばしば、すべてのタイプの測定を関連付け、これらのデバイスからのデータを特定の患者に使用することを望む。したがって、患者情報の入力が、しばしば各デバイスにおいて生じる。ときには、デバイスにおける差異は、介護者がレビューするために各デバイスからの紙に単に印刷し、患者のファイル内に保存する必要につながる。
【０００４】
そのようなデバイスの差異の結果は、しばしば、潜在的に無秩序な経験をもたらす複数の表示およびアラームが散在する介護者環境である。そのような無秩序は、介護者の動揺が致命的である可能性がある外科的環境において特に、患者の動揺または負担が回復時間および費用を増加させる場合がある回復または監視環境を含み、患者にとって有害である可能性がある。
【０００５】
様々な製造業者が、マルチモニタデバイスまたは特定のシステムが達成することができる様々な監視または治療努力を増加させるためにモジュール式に拡張するデバイスを製造している。しかしながら、医療デバイス技術が拡大するにつれて、そのようなマルチモニタデバイスは、しばしば、特定のハードウェアおよびサイズの構成を必要とし、統合されるモニタの数が制限される場合がある。
【先行技術文献】
【特許文献】
【０００６】
【特許文献１】米国特許出願第13/269,296号
【特許文献２】米国特許出願第13/371,767号
【特許文献３】米国特許出願第12/904,925号
【特許文献４】米国特許出願公開第2002/0140675号
【特許文献５】米国特許出願公開第2010/0274099号
【特許文献６】米国特許出願公開第2011/0213273号
【特許文献７】米国特許出願公開第2012/0226117号
【特許文献８】米国特許出願公開第2010/0030040号
【特許文献９】米国特許出願第61/242,792号
【特許文献１０】米国特許出願第61/387,457号
【特許文献１１】米国特許出願第61/645,570号
【特許文献１２】米国特許出願第13/554,908号
【特許文献１３】米国特許第6,157,850号
【特許文献１４】米国特許第6,334,065号
【特許文献１５】米国特許第9,943,269号
【特許文献１６】米国特許出願公開第2011/0105854号
【特許文献１７】米国特許出願公開第2011/0169644号
【特許文献１８】米国特許出願公開第2007/0180140号
【特許文献１９】米国特許第9,142,117号
【特許文献２０】米国特許出願公開第2014/0077956号
【特許文献２１】米国特許出願公開第2018/0247712号
【発明の概要】
【課題を解決するための手段】
【０００７】
本開示は、患者の多くの生理学的パラメータを監視するための、改善され、組織化され、整頓された、視覚的に豊かな表示を提供するホストデバイスについて説明する。この表示は、多くの生理学的パラメータが複数のデバイスを使用して、複数の臨床医によってすべて同時に観察され得る、麻酔薬の投与中の外科的設定などの治療設定において特に有用である可能性がある。表示は、異なる臨床シナリオのために(例えば、データの提示のフォーマットまたは位置において)カスタマイズされ得るリアルタイムで直感的な臨床医のための情報のセットを提供し、臨床医が異なる臨床シナリオにおける関連するまたは重要な生理学的パラメータを理解するのを助けることができる。表示は、他の臨床医よりも特定の臨床医により関連するように意図された異なる情報を各々が提供することができる複数の同時に提示される領域を含んでもよい。
【０００８】
ホストデバイスは、患者監視システムの一部であり得、患者モニタ、人工呼吸器、麻酔ガスマシン、または静脈内(IV)ポンプなどの複数の統合されたまたは非統合のデバイスからのリアルタイム患者データおよびアラームの統合された表示を提供することができる。ホストデバイスは、複数のデバイスによって収集された患者データの補足表示を提供し、包括的なリアルタイム患者ステータス、履歴傾向、またはアラームインジケータなどの情報を、1つまたは複数の表示上に組織化された方法で提示してもよい。1つまたは複数の表示は、患者のためのケアチームにとって中心であり得、ケアチームは、提示された情報を一緒に同時に見て、それに基づいて行動することができる。少なくとも、生理学的パラメータが、患者の生理学に関連して、または生理学的パラメータを監視するために使用されるデバイスではなく、ホストデバイスによって提示され得るので、ホストデバイスは、臨床医の認識に関する過負荷を低減し、患者の安全性を改善し、同時に、複数の臨床医間でのデータ共有とチーム調整とを促進するために、サービスを提供することができる。これは、臨床医が生理学的パラメータを決定するために使用されるセンサデータの1つまたは複数のソースを考慮する必要なく、治療中にアラーム状態が発生した場合など、患者のニーズの迅速な理解を容易にすることができる。
【０００９】
ホストデバイスは、様々な臨床シナリオ、介護者もしくはユーザのタイプ、または論理ビューに関する高度で統合されたパラメータ、傾向データ、または波形を最適化し得る、調整された、ユースケース固有の、または生理学的固有の画面レイアウト(ときにはテンプレートと呼ばれる)を提供することができる。ホストデバイスは、例えば、(i)患者ステータスの概要に関する波形およびアラームを含む、大部分のまたはすべての接続されたポイントオブケアもしくは治療デバイスからの患者監視データを表示するための概要レイアウト、(ii)患者ステータスを経時的に視覚化するのを助けるために、非侵襲的ヘモグロビン(SpHb(登録商標))、脈波変動指数(PVi(登録商標))、もしくは脈拍数に関する傾向データを表示するための循環動態レイアウト、(iii)患者の酸素化ステータスを監視するために、非侵襲的傾向ヘモグロビン(SpHb)および酸素飽和度(SpO2)とともに人工呼吸器波形を表示するための酸素化レイアウト、または(iv)患者の鎮静を監視するために、脳波(EEG)波形、患者状態インデックス(PSi(登録商標))、もしくは麻酔器データを表示するための鎮静レイアウトのうちの1つまたは複数を提示してもよい。ホストデバイスによって提示され得る他の潜在的なレイアウトは、複数のデバイスからのバイタルサインデータの収集物を表示するためのバイタルサインレイアウト、ならびに、アニメーション化され得る人体のグラフィック内またはグラフィックに沿ってパラメータの値または大きさを表示するための人体画像レイアウトを含むことができる。加えて、ホストデバイスは、患者監視システム内の複数のデバイスまたは他の追加構成要素の1つまたは複数の設定または他の動作を制御することができる。
【００１０】
本開示を要約する目的のため、特定の態様、利点、および新規の特徴について本明細書で論じる。すべてのそのような態様、利点、または特徴が本発明のいずれかの特定の実施形態において具体化されるとは限らず、当業者が、本明細書における開示からそのような態様、利点、または特徴の無数の組合せを認識するであろうことが理解されるべきである。
【００１１】
以下の図面および関連する説明は、本開示の実施形態を例示するために提供され、特許請求の範囲を限定しない。
【図面の簡単な説明】
【００１２】
【図１】医療監視ハブの斜視図である。
【図２】図1の医療監視ハブを含む監視環境の簡略化されたブロック図である。
【図３】簡略化された患者データフロープロセスを示す図である。
【図４Ａ】ホストデバイスを含むコンピューティング環境を示す図である。
【図４Ｂ】図4Aのホストデバイスの簡略化されたハードウェアブロック図である。
【図５】ソース電子デバイスまたはチャネルによって編成された測定データの表示を示す図である。
【図６Ａ】患者に関する臨床シナリオによって編成された測定データの表示を示す図である。
【図６Ｂ】患者に関する臨床シナリオによって編成された測定データの表示を示す図である。
【図６Ｃ】患者に関する臨床シナリオによって編成された測定データの表示を示す図である。
【図７】アラーム限界範囲を調整するためのホストデバイスの表示における制御を示す図である。
【図８Ａ】アラームを伴う表示を示す図である。
【図８Ｂ】アラームを伴う表示を示す図である。
【図９】測定データに基づく患者の身体の一部の3D画像のアニメーションを示す図である。
【図１０】ホストデバイスを介して患者デバイスの設定を調整するプロセスを示す図である。
【図１１】ホストデバイスに関連付けられたディスプレイ上に患者測定データを提示するプロセスを示す図である。
【図１２】測定データを含む情報を提示するためのディスプレイ上の領域を示す図である。
【図１３】ディスプレイ上の境界ボックスを示す図である。
【図１４】測定データを提示するためのディスプレイ上のパラメータコンテナを示す図である。
【図１５Ａ】測定データを提示するためのディスプレイ上の傾向コンテナを示す図である。
【図１５Ｂ】測定データを提示するためのディスプレイ上の傾向コンテナを示す図である。
【図１６】測定データを提示するためのディスプレイ上の波形コンテナを示す図である。
【図１７】ディスプレイ上の人体画像コンテナを示す図である。
【図１８Ａ】測定データの提示のためのディスプレイの構成を示す図である。
【図１８Ｂ】測定データの提示のためのディスプレイの構成を示す図である。
【図１８Ｃ】測定データの提示のためのディスプレイの構成を示す図である。
【図１８Ｄ】測定データの提示のためのディスプレイの構成を示す図である。
【図１８Ｅ】測定データの提示のためのディスプレイの構成を示す図である。
【図１９】測定データの提示のためのディスプレイの構成を示す図である。
【図２０】測定データの提示のためのディスプレイの構成を示す図である。
【図２１】測定データを含む情報を提示するためのテンプレートを示す図である。
【図２２】測定データを含む情報を提示するためのテンプレートを示す図である。
【図２３】測定データを含む情報を提示するためのテンプレートを示す図である。
【図２４】測定データを含む情報を提示するためのテンプレートを示す図である。
【図２５】測定データを含む情報を提示するためのテンプレートを示す図である。
【図２６】測定データを含む情報を提示するためのテンプレートを示す図である。
【図２７】測定データを含む情報を提示するためのテンプレートを示す図である。
【発明を実施するための形態】
【００１３】
本開示は、単一の患者に関する患者データおよびアラームの統合された表示を提供するためのホストデバイスに関する。患者データおよびアラームは、単一の患者を監視するために使用される患者モニタ、人工呼吸器、麻酔ガスマシン、IVポンプなどの複数のデバイスから取得され得る。ホストデバイスは、ホストデバイスは、複数のデバイスから収集された患者データに関する追加の集中表示を提供し、様々な臨床シナリオに関する提示を最適化する調整されたユースケース固有の画面または生理学固有のレイアウトにおいて情報を提示することができる。ホストデバイスは、患者監視システムにおける複数のデバイスまたは他の追加構成要素の1つまたは複数の設定または他の動作を制御することもできる。
【００１４】
ホストデバイスは、所与の患者の監視活動の中心となるように構成された医療監視ハブと協調して動作することができる。ホストデバイスは、直接またはネットワークまたはサーバを介して間接的にハブに接続され得る。ホストデバイスは、ハブから受信したデータを投影するための表示画面に関連付けられ得る。ホストデバイスは、例えば、テレビ、モニタ、携帯電話、タブレット、ラップトップもしくはデスクトップコンピュータ、または、患者データ表示システムを実行するように構成されたハードウェアプロセッサを有する1つもしくは複数の他のデバイスであってもよい。ハブは、それ自体、患者データ表示システムをインストールされてもよく、ハブの外部のディスプレイに患者データを提示させることができる。ハブは、それ自体のディスプレイを有してもよいので、一部の患者データは、ハブのディスプレイと外部ディスプレイの両方に表示されてもよい。
【００１５】
ホストデバイスは、ポイントオブケア(POC)デバイスと直接通信してもよい。POCデバイスは、例えば、ポータブル患者モニタ、または、患者のベッドサイドなどの患者監視を提供する別のタイプのデバイスであってもよい。ホストデバイスは、患者パラメータデータを受信するためにサーバシステムと通信してもよい。ホストデバイスに関連付けられたディスプレイは、数値またはグラフィック形式において観察中の患者に関する多種多様な被監視パラメータに関する測定データを提供することができ、ホストデバイスにおいて受信されているデータおよび情報のタイプに基づいて自動的に構成されてもよい。ホストデバイスは、介護者環境内の便利なエリアに配置され得るように、移動可能、携帯可能、または取り付け可能である。例えば、ホストデバイスは、単一のハウジング内に集められる。
【００１６】
ホストデバイスまたはハブは、ポータブル患者モニタからのデータを受信してもよい。オキシメータまたはコオキシメータなどの典型的なポータブル患者モニタは、光学または音響センサ、電極などから出力された信号から導出された多数の生理学的パラメータに関する測定データを提供することができる。生理学的パラメータは、限定はしないが、いくつか例を挙げると、酸素飽和度、一酸化炭素ヘモグロビン、メトヘモグロビン、総ヘモグロビン、グルコース、pH、ビリルビン、飽和度、脈拍数、呼吸数、呼吸サイクルの構成要素、灌流指数を含む灌流の指標、信号の品質または信頼性、プレチスモグラフデータ、ウェルネスもしくはウェルネス指標または測定データのその他の組合せ、呼吸に応答するオーディオ情報、病気の識別または診断、血圧、患者または測定部位の温度、鎮静深度、臓器または脳の酸素化、水分補給、代謝に応答する測定値、それらの組合せなど含む。ハブは、注入ポンプなどと組み合わせて閉ループ薬物投与を達成するのに十分なデータを出力してもよい。
【００１７】
ハブは、いくつかの方法において患者と相互作用している監視環境における他のデバイスと通信する。例えば、タブは、他のデバイス(POCデバイスであり得る)から、それらの再プログラミングまたはハブの再プログラミングを必要とすることなく、シリアルデータを有利に受信する。そのような他のデバイスは、ポンプ、人工呼吸器、前述のパラメータの任意の組合せを監視するあらゆる種類のモニタ、ECG/EEG/EKGデバイス、電子患者ベッドなどを含む。さらに、ハブは、他の医療デバイスから、それらの再プログラミングまたはハブの再プログラミングを必要とすることなく、チャネルデータを有利に受信する。デバイスがチャネルデータを介して通信する場合、ハブは、そのデバイスからの測定情報を含めるように大型ディスプレイを有利に変更してもよい。加えて、ハブは、デバイスからのナースコール状況が適切なナースコールシステムに渡されることを確実にするためにナースコールシステムにアクセスする。
【００１８】
ハブはまた、入ってくる患者測定および治療データを被監視患者と有利に関連付けるために、病院システムと通信する。例えば、ハブは、サーバまたはサーバの収集物などのマルチ患者監視システムとワイヤレスでまたは他の方法で通信してもよく、マルチ患者監視システムは、例えば、入院、退院、移動(「ADT:Admit, Discharge, Transfer」)システムまたは電子カルテ(「EMR: Electronic Medical Records」)システムなどの介護者のデータ管理システムと通信してもよい。ハブは、ハブを流れるデータを被監視患者と有利に関連付け、それによって、介護者が環境内の各デバイスを患者に関連付けることなく、介護者のデータ管理システムに渡されるべき電子測定および治療情報を提供する。
【００１９】
ハブは、有利には、再構成可能かつ取り外し可能なドッキングステーションを含む。ドッキングステーションは、異なる患者監視デバイスに適合するために、追加の層状ドッキングステーションにドッキングしてもよい。加えて、主要なドッキング可能なポータブル患者モニタがそのフォームファクタを変更したときに取り外され得るように、ドッキングステーション自体は、モジュール化される。したがって、ハブは、そのドッキングステーションが構成される方法において柔軟である。
【００２０】
ハブは、それが受信し、処理し、もしくは患者と関連付けるデータの一部またはすべてを記憶するための大容量メモリを含み、または、それが他のデバイスおよびシステムと行う通信を含む。メモリの一部またはすべては、取外し可能なSDメモリを有利に備えてもよい。
【００２１】
ハブは、少なくとも、(1)ポータブルモニタからのデータを取得するためにドッキングステーション、(2)チャネルデータを取得するために革新的なユニバーサル医療コネクタ、(3)出力データを取得するためにRJポートなどのシリアルデータコネクタ、(4)イーサネット、USB、およびナースコールポート、(5)ポータブルモニタからのデータを取得するためにワイヤレスデバイス、(6)当業者に知られている他の有線またはワイヤレス通信メカニズムを介して他のデバイスと通信する。ユニバーサル医療コネクタは、有利には、オプションで電気的に絶縁された電力および通信を提供し、絶縁要件よりも断面が小さくなるように設計される。コネクタおよびハブは、他のデバイスからのデータをハブに使用可能または表示可能になるように有利に変換または構成するために通信する。それらのデバイスから出力されたデータの動作および意味を確立または定義するために、デバイス製造元にソフトウェア開発者キット(「SDK: software developers kit」)が提供される。出力が定義されると、定義は、ユニバーサル医療コネクタのケーブル側にあるメモリにプログラムされ、相手先ブランド製造(「OEM: original equipment manufacturer」)としてデバイス提供者に提供される。ケーブルがデバイスとハブとの間に接続されると、ハブは、データを理解し、デバイスまたはハブへのソフトウェアアップグレードを必要とすることなく、データを表示および処理目的のために使用することができる。ハブは、スキーマについて交渉し、追加の圧縮または暗号化を追加することもできる。ユニバーサル医療コネクタを使用して、ハブは、測定および治療データを単一の表示およびアラームシステムに編成し、監視環境に効率的かつ効果的に秩序をもたらす。
【００２２】
ハブがチャネルパラダイムに従って他のデバイスからのデータを受信および追跡するとき、ハブは、患者の測定または治療データの仮想チャネルを作成するための処理を有利に提供してもよい。仮想チャネルは、例えば、様々な測定されたまたは他のパラメータからのデータを処理した結果である、測定されていないパラメータを含んでもよい。そのようなパラメータの例は、被監視患者の健康状態の全体的な指標を与える、様々な測定されたパラメータから導出された健康状態インジケータを含む。ウェルネスパラメータの例は、本開示の譲受人による米国特許出願第13/269,296号、第13/371,767号、および第12/904,925号において開示されおり、参照により本明細書に組み込まれる。データをチャネルおよび仮想チャネルに編成することによって、ハブは、入来データと仮想チャネルデータとを有利に時間的に同期させてもよい。
【００２３】
ハブはまた、RJコネクタなどのシリアル通信ポートを介してシリアルデータを受信する。シリアルデータは、被監視患者に関連付けられ、上記で論じたマルチ患者サーバシステムまたは介護者バックエンドシステムに渡される。シリアルデータを受信することにより、介護者は、しばしば様々な製造業者からの介護者環境におけるデバイスを特定の患者に有利に関連付け、各個別のデバイスを患者に関連付ける必要性および病院システムと通信する可能性を回避する。そのような関連付けは、患者に関する各デバイスに経歴情報および人口統計情報を入力するのに費やされる介護者の時間を低減するので、不可欠である。さらに、SDKを介して、デバイス製造業者は、それらのデバイスの任意の測定遅延に関連付けられた情報を提供してもよく、それによって、ハブがシリアル入来データおよび患者に関連する他のデータを有利に時間的に同期させることをさらに可能にする。
【００２４】
ポータブル患者モニタがドッキングされ、それ自体のディスプレイを含む場合、ホストデバイスまたはハブは、その表示面積を効果的に増加させる。例えば、ポータブル患者モニタは、その測定または治療データを単に表示し続けてもよく、それは、ホストデバイスまたはハブディスプレイ上で複製されていてもよく、または、ディスプレイは、追加の情報を提供するためにその表示を変更してもよい。ディスプレイは、例えば、心臓、肺、臓器、脳、または測定もしくは治療されている他の身体部分の解剖学的グラフィカルデータを提示する。グラフィカルデータは、測定データと同様に、かつそれと協調して有利にアニメーション化してもよい。例えば、肺は、測定された呼吸数、または呼吸サイクルの決定された呼気/吸気部分とほぼ相関して膨張してもよく、心臓は、脈拍数に従って鼓動してもよく、理解された実際の心臓収縮パターンに沿って概して鼓動してもよく、脳は、変化する鎮静深度などに基づいて色または活動を変化させてもよい。測定されたパラメータが介護者に警告する必要性を示す場合、色における変化する深刻度が、心臓、肺、脳、臓器、循環器系またはその一部、呼吸器系またはその一部、他の身体部分などの、1つまたは複数の表示されたグラフィックスに関連付けられてもよい。身体部分は、測定デバイスをどこに、いつ、またはどのように取り付けるのかに関するアニメーションを含んでもよい。
【００２５】
ホストデバイスまたはハブはまた、介護者に追加の可視情報を提供するために、パラメータ表示を有利に重ね合わせてもよい。そのような重ね合わせは、ユーザ定義可能かつ構成可能であってもよい。表示はまた、アナログ出現アイコンまたはグラフィカルなしるし(indicia)を組み込んでもよい。
【００２６】
本開示の完全な理解を容易にするために、詳細な説明の残りの部分は、図面を参照して本開示を説明し、同様の参照番号は、全体を通して同様の番号で参照される。
医療監視ハブ動作環境
【００２７】
図1は、ドッキングされたポータブル患者モニタ102を有する医療監視ハブ100の斜視図を示す。ハブ100は、ディスプレイ104と、ドッキングステーション106とを含み、ドッキングステーション106は、移動可能で取付可能で携帯可能なハウジング108内に各々が収容されたポータブル患者モニタ102と機械的および電気的に係合するように構成される。ハウジング108は、水平平面上に載るように構成されたほぼ直立した傾斜形状を含むが、ハウジング108は、多種多様な位置および取付物に固定され得、多種多様な形状およびサイズを備えることができる。
【００２８】
ディスプレイ104は、多種多様な測定または治療データを、数値、グラフィカル、波形、または他の表示指標110において提示してもよい。ディスプレイ104は、ハウジング108の前面の大部分を占めるが、当業者は、ディスプレイ104が、タブレットまたはテーブルトップの水平構成、ラップトップのような構成などを備えてもよいことを理解するであろう。表示情報およびデータは、追加でまたは代替的に、テーブルコンピュータ、スマートフォン、テレビ、または当業者に認識され得る任意の表示システムに伝達されてもよい。図1の直立傾斜構成は、見やすい方法で介護者に表示情報を提示する。
【００２９】
図1のポータブル患者モニタ102は、カリフォルニア州アーバインのMasimo Corporationから市販されているもの、または、米国特許出願公開第2002/0140675号、第2010/0274099号、第2011/0213273号、第2012/0226117号、第2010/0030040号、米国特許出願第61/242,792号、第61/387,457号、第61/645,570号、第13/554,908号、および米国特許第6,157,850号、第6,334,065号において開示されているものなどの、オキシメータ、コオキシメータ、呼吸モニタ、鎮静深度モニタ、非侵襲的血圧モニタ、バイタルサインモニタなどを有利に含んでもよい。モニタ102は、発光および検出回路を有する光学センサ、音響センサ、刺指からの血液パラメータを測定するデバイス、カフ、人工呼吸器などの、様々な非侵襲的または最小限に侵襲的なデバイスと通信してもよい。モニタ102は、それ自体の表示のしるし116を提示するそれ自体のディスプレイ114を含んでもよい。表示のしるしは、モニタ102のドッキング状態に基づいて有利に変化してもよい。ドッキング解除されると、表示のしるしは、パラメータ情報を含んでもよく、例えば、重力センサまたは加速度計に基づいて、向きを変えてもよい。
【００３０】
ハブ100のドッキングステーション106は、ハブ100の動きがモニタ102を損傷する可能性がある方法でモニタ102を機械的に分離しないことを確実にするために、機械的ラッチ118、または、機械的に開放可能な留め金を含む。
【００３１】
特定のポータブル患者モニタ102を参照して開示されているが、当業者は、本明細書の開示から、ハブ100と有利にドッキングしてもよい多数の多種多様な医療デバイスを認識するであろう。さらに。ドッキングステーション106は、有利には、電気的にかつ非機械的にモニタ102に接続してもよく、または、モニタ102とワイヤレスで通信してもよい。
【００３２】
ハブ100の追加のまたは代替の特徴、その情報の提示、およびその動作環境は、「SYSTEM FOR DISPLAYING MEDICAL MONITORING DATA」と題する、2018年4月17日に発行された米国特許第9,943,269号に記載されており、その開示は、参照により本明細書に組み込まれる。
【００３３】
図2は、図1のハブ100を含む監視環境200の簡略化されたブロック図を示す。図2に示すように、環境は、例えば、酸素測定光学センサ、音響センサ、血圧センサ、呼吸センサなどの1つまたは複数の患者センサ202と通信するポータブル患者モニタ102を含んでもよい。例えば、NIBPセンサまたはシステム211および温度センサまたはセンサシステム213などの追加のセンサが、ハブ100と直接通信してもよい。使用中のときのセンサ202、211、および213は、測定部位において患者に実際に取り付けられていない場合、典型的には、監視されている患者の近くにある。
【００３４】
ポータブル患者モニタ102は、ドッキングされているときはドッキングステーション106を介して、ドッキング解除されているときはワイヤレスでハブ100と通信してもよいが、そのようなドッキング解除された通信は、必要とされない。ハブ100は、例えば、その全体が参照により本明細書に組み込まれる米国特許出願公開第2011/0105854号、第2011/0169644号、および第2007/0180140号において開示されているものなどの、1つまたは複数のマルチ患者監視サーバ204またはサーバシステムと通信する。一般に、サーバ204は、EMRまたはADTシステムなどの介護者バックエンドシステム206と通信する。サーバ204は、人口統計情報、課金情報などの、患者入院時に入力された患者情報を、プッシュ、プル、または組合せの技術によって有利に取得してもよい。ハブ100は、被監視患者を介護者バックエンドシステム206とシームレスに関連付けるために、この情報にアクセスする。サーバ204と監視ハブ100との間の通信は、ワイヤレス、有線、モバイルまたは他のコンピューティングネットワーク経由などを含む、本明細書の開示から当業者に認識可能な任意のものであってもよい。
【００３５】
図2は、そのシリアルデータポート210およびチャネルデータポート212を介して通信するハブ100も示す。上記において開示されているように、シリアルデータポート210は、電子患者ベッドシステム214、閉ループ制御システムを含む注入ポンプシステム216、人工呼吸器システム218、血圧または他のバイタルサイン測定システム220などを含む多種多様な患者医療デバイスからのデータを提供してもよい。同様に、チャネルデータポート212は、前述のうちのいずれかと他の医療デバイスとを含む多種多様な患者医療デバイスからのデータを提供してもよい。例えば、チャネルデータポート212は、SedLine(登録商標)から市販されているものなどの意識深度モニタ222、他の脳または臓器のオキシメータデバイス224、非侵襲的血圧または音響デバイス226、カプノグラフィデバイス227などからのデータを受信してもよい。チャネルデバイスは、ボードインケーブル(「BIC:board-in-cable」)ソリューションを含んでもよく、BICソリューションでは、処理アルゴリズムおよびそれらのアルゴリズムを達成する信号処理デバイスは、追加の表示技術を持たない場合があるケーブルまたはケーブルコネクタ内に収容されたボードに取り付けられる。BICソリューションは、その測定されたパラメータデータを、ハブ100のディスプレイ104上に表示されるようにチャネルポート212に出力する。ハブ100は、例えば、タブレット、スマートフォン、または他のコンピューティングシステムなどの他のシステムと通信するBICソリューションとして全体的または部分的に有利に形成されてもよい。
【００３６】
図3は、簡略化された患者データフロープロセスを示す。図示のように、ステップ302において患者が介護者環境に入ると、患者に関するデータが介護者バックエンドシステム206に取り込まれる。サーバ204は、ステップ304においてこの情報を取得または受信し、次いで、それをハブ100にアクセス可能にしてもよい。ステップ306において介護者がハブ100を患者に割り当てると、介護者は、現在利用可能な患者データを単に見て、現在監視されている特定の患者を選択する。次いでステップ308において、ハブ100は、それが受信して決定した測定、監視、および治療データをその患者に関連付ける。介護者は、別のデバイスが(1)ドッキングステーション、(2)ユニバーサル医療コネクタ、(3)シリアルデータコネクタ、または(4)他の通信メカニズムによってハブ100を介して通信している限り、そのデバイスを患者に再び関連付ける必要はない。ステップ310において、受信、処理、または決定されたデータの一部または全体は、サーバ204に渡される。
ホストデバイスデータの提示および制御
【００３７】
図4Aは、患者データが取得および処理される例示的なコンピューティング環境400を示す。コンピューティング環境400において、患者デバイス430は、病院ネットワーク450に接続することによってこれらのデバイスのためのネットワーク接続機能を提供する医療ネットワークインターフェース432と接続する。患者デバイス430は、PoCデバイスであってもよい。病院ネットワーク450には、マルチ患者監視サーバ(MMS: multi-patient monitoring server)434、ホストデバイス460、ならびに、ナースステーション、キオスク、コンピュータオンホイール(COW:computer on wheel)、および臨床医デバイス(電話、ポケットベル、タブレットなど)などの他の病院デバイス436も接続されている。MMS434はまた、例えば、病院から遠隔であり得るデバイスを含むことができる臨床医デバイスまたは患者デバイス438と通信し得る外部ネットワーク452と通信する。MMS434は、EMR454ともインターフェースする。したがって、医療ネットワークインターフェース432は、患者デバイス430からのデータが、とりわけ、図4に示す他の構成要素のいずれかに伝達されることを可能にし得る。
【００３８】
MMS434は、ナースステーション(ときには、中央ステーションと呼ばれる)にデータをルーティングしてもよい。医療ネットワークインターフェース432の患者デバイス430によって受信されたデータは、とりわけ、それらのステーション、中央ステーション、および臨床医デバイスに提供されてもよい。MMS434は、例えば、患者デバイス430から取得されたアラームをデバイス436、438にルーティングすることによって、臨床医通知を実行してもよい。さらにMMS434は、例えば、その開示がその全体において参照により本明細書に組み込まれる、「Systems and Methods for Storing, Analyzing, Retrieving and Displaying Streaming Medical Data」と題する、2015年9月22日に出願された米国特許第9,142,117号において開示されているように、分析およびジャーナリングを実行してもよい。さらに、MMS434は、例えば、その開示がその全体において参照により本明細書に組み込まれる、「Intelligent Medical Network Edge Router」と題する、2013年9月18日に出願された米国特許出願公開第2014/0077956号に記載のように、臨床医による遠隔での患者のテレプレゼンス監視を実行するテレプレゼンスモジュールを含んでもよい。さらに、MMS434のようなMMS434は、拡張可能であってもよく、EMR454を含む他のソフトウェアエンジンおよびデータベースにデータを供給することができる。
【００３９】
患者デバイス430から(またはハブ100)から医療ネットワークインターフェース432によって取得されたデータは、以下の形式、すなわち、波形データ、パラメータデータ、またはイベントデータのうちの1つまたは複数において来てもよい。波形データは、高周波データであり得る傾向データを含むことができる。医療ネットワークインターフェース432またはMMS434は、(例えば、バッファオーバーランにより)損失がある場合、それらの損失が無視されるように、ビデオストリーミングデータと類似してこのデータを扱ってもよい。パラメータデータ(例えば、酸素飽和度値などの生理学的パラメータ測定値)が、毎秒1回(1Hz)などの設定周波数において来てもよい。医療ネットワークインターフェース432は、パラメータデータを患者スナップショットに結合し、このスナップショットをMMS434または図示の他のデバイスに提供してもよい。イベントデータは、アラーム(例えば、範囲外のパラメータ値)およびアラート(例えば、進行の低下、またはアラーム設定が患者デバイス430の1つにおいて変更された)などのイベント駆動型データを含むことができる。イベントは、それらが発生したときに非同期で供給されてもよく、医療ネットワークインターフェース432は、ネットワーク上の他のデバイスにイベントデータを供給する前に、患者デバイス430から受信された任意のイベントにタイムスタンプを適用してもよい。
【００４０】
ホストデバイス460、患者デバイス430、MMS434は、病院ネットワーク450に接続されてもよい。ハブ100は、直接または病院ネットワーク450を介してホストデバイス460に接続され得る。病院ネットワーク450は、ワイヤレスまたは有線のネットワーク接続をサポートすることができる。患者デバイス430は、ベッドサイドの患者監視を提供するデバイスを含むことができる。
【００４１】
ホストデバイス460は、患者情報を提示するように構成されたディスプレイ464を含むことができる。一例において、ホストデバイス460は、テレビ、モニタ、携帯電話、タブレット、ラップトップ、またはデスクトップコンピュータであってもよく、ホストデバイス460のメモリにインストールされ得る患者データ表示システム462を含んでもよい。患者データ表示システム462は、患者データを受信するかまたは制御命令を提供するために、単独でまたは組み合わせて、MMS434、患者デバイス430、ハブ100、医療ネットワークインターフェース432と通信するように構成され得る。一実装形態において、ホストデバイス460は、Android(登録商標)オペレーティングシステムを実行し、患者データ表示システム462は、ロードされ、Androidオペレーティングシステム上で実行されるプログラムである。
【００４２】
患者データ表示システム462は、例えば、監視されているパラメータ、データのソース、患者の生理機能、またはユースケース固有の方法に基づいてデータをグループ化することができる。患者パラメータは、表示のために優先順位を付けられてもよい。優先順位付けは、患者デバイス430内のパラメータに関連付けられてもよい。例えば、患者デバイス430のうちの1つが3つのパラメータからのデータを提供する場合、3つのパラメータは、それら自体の間で優先順位を付けられてもよい。パラメータはまた、ハブ100などに接続された患者デバイス430と、ホストデバイス460のために選択された表示レイアウトとに応じて優先順位を付けられてもよい。例えば、鎮静の臨床シナリオなどのための1つの画面レイアウトにおいて、鎮静レイアウト(図6Cに示す)は、1つのパラメータのセットを表示のために優先させてもよいが、概要シナリオなどのための別の画面レイアウトにおいて、概要レイアウト(図5に示す)は、異なるパラメータのセットを優先させてもよい。
【００４３】
図7、図8A、および図8Bを参照してさらに説明するように、患者データ表示システム462は、アラーム機能を含むことができ、患者データ表示システム462は、ユーザがホストデバイス460を介して患者デバイス430のうちの1つまたは複数のアラーム限界を調整することを可能にすることができる。したがって、ホストデバイス460は、患者デバイス430による実装のために、患者デバイス430または別のデバイス(医療ネットワークインターフェース432またはMMS434など)に、調整されたアラーム限界を送信することができる。ホストデバイス460は、それ自体がアラームを生成または管理しなくてもよく、代わりに、アラームが提示、グループ化、および作用され得るインターフェースを提供してもよい。
【００４４】
患者データ表示システム462は、図9を参照して説明する例に示すような、患者の解剖学的特徴に関連するアニメーションを提供することができる。患者の解剖学的特徴は、例えば、関連するパラメータのレートにおいてアニメーション化されてもよい。同様のアニメーションが、ハブ100において提供されてもよい。
【００４５】
図4Bは、図4Aのホストデバイス460の簡略化されたハードウェアブロック図を示す。ホストデバイス460は、ハウジング470と、プロセッサ472と、メモリ474と、ディスプレイ476と、入力/出力(I/O)インターフェース478とを含むことができる。ハウジング470は、ホストデバイス460の他の構成要素のうちの1つまたは複数を支持または取り囲むことができる。プロセッサ472、メモリ474、ディスプレイ476、および入力/出力(I/O)インターフェース478は、有線またはワイヤレス通信を介して互いに通信することができる。プロセッサ472は、少なくともメモリ474上に記憶された命令に従って、ホストデバイス460の動作を制御することができる。メモリは、例えば、患者データ表示システム462を記憶することができる。プロセッサ472は、本明細書で説明する画面またはユーザインターフェースのうちの1つまたは複数を提示することなどによって、ディスプレイ476上に情報を提示することができる。入力/出力インターフェース478は、有線またはワイヤレス通信を介して1つまたは複数の他の電子デバイスとの間で患者データなどのデータを受信または送信するためにプロセッサ472によって使用され得る。
【００４６】
図5は、ディスプレイ476または本明細書に記載の別のディスプレイなどの、ホストデバイスのディスプレイ上の測定データの表示を示す。測定データは、ソース電子デバイスまたはチャネルによって編成されてもよい。図5に示すように、特定のソース電子デバイスまたはチャネルから受信された、または特定のソース電子デバイスまたはチャネルから計算されたパラメータは、一緒にグループ化され、特定のソース電子デバイスまたはチャネルに対応する表示上の専用領域内に提示され得る。
【００４７】
図5に示す画面レイアウトは、概要画面500であってもよい。概要画面500は、患者が選択された後に表示されるデフォルトのレイアウト画面であってもよい。患者に関する識別子は、患者識別子領域530において提供され得、患者が治療されている理学療法施設内の部屋は、患者部屋領域532において識別され得る。患者は、図3を参照して説明したように、患者が入院した後に選択されてもよい。
【００４８】
概要画面500は、とりわけ、麻酔/通気ウィンドウ522A、EEGウィンドウ524A、局所オキシメータ額右ウィンドウ524B、局所オキシメータ額左ウィンドウ524C、モニタウィンドウ522C、血液ガスウィンドウ510、および注入ポンプウィンドウ522Bなどの1つまたは複数の専用領域(例示の目的のためにときにはウィンドウと呼ばれるが、ウィンドウ以外の形態をとってもよい)を含むことができる。代替的には、より多いまたはより少ないウィンドウが概要画面500上に示されてもよい。例えば、概要画面500は、加えてまたは代替的に、カプノグラフィのためのウィンドウを含むことができる。
【００４９】
麻酔/通気ウィンドウ522Aは、麻酔または人工呼吸器デバイスからのデータを表示することができる。最初に接続された、または最後に接続された麻酔または人工呼吸器デバイスは、最も高い優先順位を有してもよく、そのデータが表示される。麻酔/通気ウィンドウ522Aは、例えば、PEEP、Ppeak、Pmean、PLAT、Vte、Ve、EtO2、FiO2などの様々なパラメータに関するデータを表示することができる。麻酔/通気ウィンドウ522Aは、例えば、圧力波形、容積波形、およびフロー波形などの波形を表示することもできる。
【００５０】
麻酔/通気ウィンドウ522Aのサイズは、1つまたは複数の関連するデバイスがハブ100などから切断されているかまたはハブ100などに接続されているかに応じて変化してもよい。例えば、麻酔/通気ウィンドウ522Aは、1つまたは複数のカプノグラフィまたはポンプデバイスが切断されるかまたは電源オフにされているとき、拡大してもよい。麻酔/通気ウィンドウ522Aのサイズは、変化することができるので、例えば、カプノグラフィデバイスが接続されている場合、波形が不可視であってもよく、カプノグラフィデバイスが接続されていない場合、3つの波形すべてが可視であってもよい。ポンプデバイスが接続され、カプノグラフィデバイスが切断されている場合、圧力波形は、可視であってもよい。
【００５１】
図5には示されていないが、概要画面2500は、カプノグラフィデバイスからのデータを表示することもできる。例えば、概要画面500は、EtCO2、FiCO2、RR、またはCO2波形などのパラメータを表示するためのウィンドウを含むことができる。カプノグラフィがハブ100などに接続されている場合、カプノグラフィデバイスのためのウィンドウは、可視であり得る。
【００５２】
注入ポンプウィンドウ522Bは、INVTB、INV、INRT、およびINRMTなどの流体送達に関連するパラメータを表示することができる。注入ポンプウィンドウ522Bは、例えば、注入ポンプデバイスがハブ100などに接続されているときに可視であってもよい。
【００５３】
EEGウィンドウ524Aは、SedLineという名称で市販され、カリフォルニア州アーバインのMasimo Corporationによって販売されているEEGモニタなどのEEG監視デバイスから受信されたデータを表示することができる。EEGウィンドウ524Aは、PSi、EMG、SR、SEFL、SEFR、ARTFなどの脳活動を示すパラメータを表示することができる。EEGウィンドウ524Aは、EEG波形を表示することもできる。EEGウィンドウ524Aは、1つまたは複数の局所オキシメータデバイスがハブ100などから接続されているかまたはハブ100などに接続されているかに応じてサイズを変更してもよい。
【００５４】
局所オキシメータ額右ウィンドウ524Bおよび局所オキシメータ額左ウィンドウ524Cは、局所オキシメータセンサからの局所オキシメータセンサデータを表示することができる。1つのそのような局所オキシメータセンサは、O3(登録商標)という名称で市販され、カリフォルニア州アーバインのMasimo Corporationによって販売されている。例えば、局所オキシメータ額右ウィンドウ524Bおよび局所オキシメータ額左ウィンドウ524Cは、rSO2、デルタベースライン(Δベース)、Delta SpO2(ΔSpO2)などの脳の酸素化を示すパラメータに関するデータを表示することができる。
【００５５】
モニタウィンドウ522Cは、ハブ100またはホストデバイス460の提供者または製造業者以外のだれかによって提供または製造されたもの以外のデバイスなどの、サードパーティの監視デバイスからのデータを表示することができる。例えば、モニタウィンドウ522Cは、以下のパラメータ、すなわち、温度、NiBP収縮期、NiBP拡張期、ECG HR、PVC、CVP、ST aVL、ST aVRのうちの1つまたは複数に関連するデータを表示することができる。モニタウィンドウ522Cは、サードパーティの監視デバイスの少なくとも1つがハブ100などに接続されているときに可視であってもよい。
【００５６】
血液ガスウィンドウ510は、例えば、ハブ100と互換性があるセンサ、または、ハブ100に直接接続され得るセンサ、もしくはハブ100の提供者または製造業者によって提供もしくは製造されたセンサなどのネイティブセンサからの測定データを表示することができる。1つのそのような血液ガスセンサは、Rainbowという名称で市販され、カリフォルニア州アーバインのMasimo Corporationによって販売されている。血液ガスウィンドウ510のサイズは、例えば、サードパーティの監視デバイスがハブ100などに接続されているかまたはハブ100などから切断されているかに応じて変化してもよい。例えば、血液ガスウィンドウ510は、サードパーティの監視デバイスがハブ100などから切断されるかまたは電源オフにされているとき、(例えば、モニタウィンドウ522Cに対応する領域も含むように)拡大してもよい。血液ガスウィンドウ510は、SpO2%、PVi%などの、pH、酸素レベル、または二酸化炭素レベルを示す1つまたは複数のパラメータを表示することができる。血液ガスウィンドウ510は、Pleth、Signal I.Q.(登録商標)、および呼吸エンベロープ波形を表示することもできる。
【００５７】
図5に示す表示は、監視されているすべての患者パラメータにおいて適合することができない場合がある。結果として、表示されるウィンドウは、優先順位に基づいて表示されてもよく、または、パラメータは、優先順位に基づいて個々のウィンドウ内に表示されてもよい。例えば、モニタウィンドウ522Cが比較的低い優先順位であると考えられる場合、モニタウィンドウ522Cは、非表示にされてもよく、血液ガスウィンドウ510は、最も高い優先順位を有する最初の8つのパラメータを表示してもよいが、他の表示され得るもう1つのまたは追加のパラメータを表示しなくてもよい。
【００５８】
図5に示す表示は、人の上部のグラフィックを提示することができる。グラフィックは、肺502と、脳504と、心臓506とを含むことができる。肺502、脳504、および心臓506の各々は、緑色または赤色に色分けされ得、緑色は、非アクティブなアラームを示し、赤色は、赤色のグラフィックによって示された臓器に関するアクティブなアラームを示す。特定のパラメータに関連付けられたアクティブなアラームを示すために、特定のパラメータの周囲の領域が追加で赤色にされてもよく、特定のパラメータが示された専用領域の一部も赤色にされてもよい。例えば、血液ガスウィンドウ510内の表示されたSpO2%値の周囲の領域508または別の領域が、アラーム状態を示す赤色であり得る。メニュー要素512は、ユーザが、図5を表示することから、アラーム状態視覚化アニメーションを有効化/無効化すること、異なる患者に関する患者データを見ること、患者監視デバイスもしくはシステムから切断すること、または、患者データ表示システム462に関するソフトウェアの現在のバージョンを見ることのうちの1つまたは複数を調整するためのオプションの構成インターフェースなどの代替インターフェースに移行することを可能にし得る。
【００５９】
図5に示す表示は、ウィンドウまたはパラメータが出力情報ではなく入力情報を提示することを示し得る、領域508と同様の領域における灰色の陰影などの陰影(図示せず)を含むことができる。出力情報は、例えば、患者を監視する1つまたは複数のセンサによって測定された情報を含んでもよく、入力情報は、患者の治療を制御するために使用される情報を含むことができる。したがって、陰影は、表示上の情報が入力情報であるかまたは出力情報であるかについて迅速かつアクセス可能な指示を介護者に提供することができる。表示は、特定のパラメータまたはウィンドウの強調表示(図示せず)を含むことができる。強調表示は、ユーザの注意を特定のパラメータまたはウィンドウに引き付けるために使用され得るので、ユーザが提示された情報を処理するのを支援する。一度に提示され得る情報の量を低減するために、パラメータが安全または許容範囲内にある可能性がある場合、1つまたは複数のパラメータまたはウィンドウが表示から自動的に非表示にされ得る。
【００６０】
図6A、図6B、および図6Cは、ディスプレイ476または本明細書で説明される別のディスプレイなどのホストデバイスのディスプレイ上の測定データの表示を示す。測定データの表示は、例えば、患者の生理学的システム、臨床シナリオ、または様々なユースケースに従って提示または編成され得る。図6A、図6B、および図6Cの表示は、代わりにソース電子デバイスまたはチャネルに従って測定データを提示または編成し得る図5の表示とは対照的であり得る。したがって、図6A、図6B、および図6Cの表示は、表示されている測定データのソースに関係なく、全体として患者の特定の生理学のまたは特定の生理学的システムの状態(例えば、心臓の状態、肺の状態、神経学的状態など)を評価するために使用可能であり得る。測定データは、表示においてパラメータ、傾向、波形などの形態において提示され得る。
【００６１】
図6Aは、患者に関する循環動態に従って提示または編成された測定データの表示を示す(この表示配置は、循環動態画面と呼ばれる場合がある)。領域602は、提供された測定データが患者の循環動態に関連することを示すことができる。図6Aは、領域602における選択可能なドロップダウンメニューの選択およびドロップダウンメニュー内の選択、または、循環動態に対応する人の上部のグラフィックの臓器(例えば、心臓)の選択などを介して、ユーザの入力の受信に応答してディスプレイ上に提示されてもよい。循環動態画面は、例えば、サードパーティの監視、麻酔/人工呼吸器、またはカプノグラフィなどの複数のチャネルからのパラメータデータを表示してもよい。この画面は、例えば、脈波波形、圧力波形、フロー波形、またはCO2波形を、追加でまたは代替的に表示することができる。
【００６２】
図6Bは、患者に関する酸素化に従って提示または編成された測定データの表示を示す(この表示配置は、酸素化画面と呼ばれる場合がある)。領域604は、提供された測定データが患者の酸素化に関連することを示すことができる。図6Bは、領域604における選択可能なドロップダウンメニューの選択およびドロップダウンメニュー内の選択、または、酸素化に対応する人の上部のグラフィックの臓器(例えば、肺)の選択などを介して、ユーザの入力の受信に応答してディスプレイ上に提示されてもよい。酸素化画面は、以下のチャネル、すなわち、サードパーティの監視、麻酔/人工呼吸器、またはカプノグラフィのうちの1つまたは複数からのパラメータデータを表示してもよい。酸素化画面は、例えば、脈波波形、圧力波形、フロー波形、またはCO2波形を、追加でまたは代替的に表示することができる。循環動態画面および酸素化画面などのいくつかの画面は、同様のパラメータまたは波形を表示するが、波形データまたはパラメータデータのうちの一部のレイアウト(例えば、場所またはサイズ)は、2つの画面レイアウト間で異なってもよく、それは、各画面レイアウトの異なる強調を表示することができる。
【００６３】
図6Cは、患者に関する鎮静にしたがって提示または編成された測定データの表示を示す(この表示配置は、鎮静画面と呼ばれる場合がある)。領域606は、提供された測定データが麻酔深度を監視するために使用可能な患者の鎮静に関連することを示すことができる。図6Cは、領域606における選択可能なドロップダウンメニューの選択およびドロップダウンメニュー内の選択、または、鎮静に対応する人の上部のグラフィックの臓器(例えば、脳)の選択などを介して、ユーザの入力の受信に応答してディスプレイ上に提示されてもよい。鎮静画面は、以下のチャネル、すなわち、サードパーティの監視、麻酔/人工呼吸器、カプノグラフィ、EEG監視、または局所脳酸素測定のうちの1つまたは複数からのパラメータデータを表示することができる。鎮静画面は、EEG監視デバイスからのデータに基づいて生成された波形を、追加でまたは代替的に表示することができる。
【００６４】
領域602、604、および606は、図6A、図6B、および図6Cの個々の表示のうちの1つを、図6A、図6B、および図6Cの個々の表示のうちの別のものの代わりに提示させるために使用され得る。加えて、図6A、図6B、および図6Cは、循環動態、酸素化、および鎮静などのケアシナリオに従って提示または編成された測定データを示すが、測定データは、追加でまたは代替的に、特定のグループのケア提供者のために調整された他の生理学的システムまたはケアシナリオに従って提示または編成されてもよい。例えば、提示を選択するため、または測定データを編成するために使用される可能なケアシナリオは、循環、血液の酸素化および人工呼吸、脳機能および酸素化、ならびに臓器/組織の酸素化を含むことができ、提示を選択するため、または測定データを組織化するために使用される可能な生理学的システムは、とりわけ、臓器(心臓、脳、肺、咽頭、喉頭、リンパ節、動脈、筋肉、脾臓、骨髄、胃、静脈、動脈、膵臓、膀胱、腎臓、骨格、腸、胆嚢、または肝臓など)、または臓器系(呼吸器系、消化器系、神経系、筋肉系、泌尿器系、生殖器系、内分泌系、外皮系、免疫系、または循環器系など)を含むことができる。
【００６５】
患者監視システムにおける表示および通信のさらなる例は、「SYSTEM FOR DISPLAYING MEDICAL MONITORING DATA」と題する、2018年4月17日に出願された米国特許第9,943,269号において開示されており、その開示は、その全体において参照により本明細書に組み込まれる。そのような表示またはそのような表示の特徴は、例えば、ホストデバイス460によって提示されてもよい。
【００６６】
ホストデバイス460は、ユーザが患者デバイス430のうちの1つまたは複数の設定を調整することを可能にするユーザインターフェースを提示してもよく、患者デバイス430によって取得された患者パラメータデータがホストデバイスに関連付けられたディスプレイ上に表示される。例えば、ユーザインターフェースは、ユーザが、直接または有線もしくはワイヤレス通信を介してハブ100またはホストデバイス460に接続されたデバイスのアラーム限界を調整することを可能にし得る。
【００６７】
例えば、ホストデバイス460のディスプレイ上のユーザインターフェースコントロールとしてスライダが提供され得、スライダは、ユーザが患者デバイス430のうちの1つまたは複数のアラーム限界または他の設定を調整することを可能にする。更新された設定の受信時に、ホストデバイスは、この設定の更新を(例えば、ケーブル、ネットワークなどを介して、またはハブ100を介して)患者デバイス430のうちの1つまたは複数に伝達することができる。患者デバイス430のうちの1つまたは複数は、設定の更新を解釈することができるコードを含むことができるので(例えば、設定の更新は、ホストデバイス460、ハブ100、またはコンピューティング環境400内の別のデバイスなどによって、患者デバイス430のうちの1つまたは複数がそれを理解することができるようにフォーマットされ得るので)、患者デバイス430のうちの1つまたは複数は、設定の更新を読み取る方法を知ることができる。
【００６８】
ホストデバイス460は、患者デバイス430のうちの1つもしくは複数、ハブ100(ホストデバイスが直接またはコンピュータネットワークを介してハブに接続されている場合)、またはコンピューティング環境400内の別のデバイスからアラームを受信することができる。ホストデバイス460は、例えば、アラーム設定をハブ100に伝達することができる。アラーム設定に基づいて、ハブ100は、その接続された医療デバイスまたはセンサから受信されたデータに基づいてアラートを生成し、アラートをホストデバイスのディスプレイに伝達するように構成され得る。
【００６９】
図6A、図6B、および図6Cに示す表示は、介護者が収集され表示によって提示された重要な情報を素早く理解し、それに集中できるように、図5の表示に関して説明したように、灰色におけるパラメータもしくはウィンドウの陰影(図示せず)、または、パラメータもしくはウィンドウの強調表示(図示せず)、または、パラメータもしくはウィンドウの非表示を含むことができる。さらに、ユーザは、表示のうちの1つにおけるユーザ選択などを介するユーザ入力に応答して、図5に示す表示と、図6A、図6B、および図6Cに示す表示のうちの1つまたは複数との間で、またはその逆に遷移してもよい。
【００７０】
図7は、ソース電子デバイスのアラーム限界範囲を調整するための、ディスプレイ476などのホストデバイスのディスプレイにおける制御を示す。タブ702、704、706は、血液ガスデバイス、EEG監視デバイス、または局所酸素測定デバイスに関するアラーム限界の表示と調整とを切り替えるためにそれぞれ使用され得る。図7によって示されているように、血圧ガスデバイスに対応するタブ702が選択され得る場合、血液ガスデバイスによって監視される複数のパラメータが、パラメータの各々に関する対応する上範囲および下範囲とともに提示され得、「--」によって示されているように、一部の上範囲または下範囲が利用できない。線708および点710などの線および点は、範囲内のパラメータのアラーム上限およびアラーム下限を増加させるためにユーザ入力によって移動可能で、対応するアラーム限界を適切に調整するために、血液ガスデバイスへの命令の生成および送信を引き起こし得るスライダを形成することができる。表示上の混乱を減らすために、線708および点710からなるスライダなどの特定のスライダの位置に対応する値は、領域712などの特定のスライダと並んで表示される値による以外では表示上に示されなくてもよい。
【００７１】
表示は、より幅広いよりもより長いものとして示されている場合があるが、表示は、代わりに、図5、図6A、図6B、図6C、および図7の表示に適合するような、またはモバイルデバイス上の表示のような、より長いよりもより幅広いような他の寸法を有してもよい。
【００７２】
ユーザは、ハブ100上の医療デバイスの設定を調整することができる。例えば、ハブ100は、接続された医療デバイスのアラーム限界を調整するために、例えば、スライダバーなどのユーザインターフェース要素を提示することができる。ハブ上の医療デバイスの設定を調整することの追加の例は、「SYSTEM FOR DISPLAYING MEDICAL MONITORING DATA」と題する米国特許出願公開第2018/0247712号にも記載されており、その開示は、その全体において参照により本明細書に組み込まれる。
【００７３】
本明細書で示されるユーザインターフェース制御は、単なる例示的な例であり、変更され得る。例えば、示されているユーザインターフェース制御のいずれかが、同じまたは同様の機能を提供する他のタイプのユーザインターフェース制御に置き換えられてもよい。使用され得るユーザインターフェース制御のいくつかの例は、ボタン、ドロップダウンボックス、選択ボックス、テキストボックスまたはテキストフィールド、チェックボックス、ラジオボタン、トグル、パンくずリスト(例えば、表示されているページまたはインターフェースを識別する)、スライダ、検索フィールド、ページネーション制御、タグ、アイコン、ツールチップス、プログレスバー、通知、メッセージボックス、画像カルーセル、モーダルウィンドウ(ポップアップなど)、日付または時間ピッカー、アコーディオン(例えば、表示/非表示機能を有する縦に積み重ねられたリスト)などを含む。ここに記載されていない追加のユーザインターフェース制御が使用されてもよい。
【００７４】
さらに、ユーザインターフェース制御は、同様のまたは同じ機能が非常に異なる概観のユーザインターフェースによって提供され得るように、ユーザインターフェース制御の他のセットに結合または分割されてもよい。さらに、ユーザインターフェースの各々は、数あるユーザインターフェース入力オプションの中でも、マウス、タッチスクリーン入力(例えば、指またはペン)、リモートコントロール、またはキーボード入力などの1つまたは複数の入力オプションを使用してユーザによって選択されてもよい。
【００７５】
図8Aは、EEGパラメータ値に関するアラーム状態を示す赤色であり得る、PSi値などの表示されたEEGパラメータ値の周囲の領域814を示し、脳834、および、表示されたEEGパラメータ値を含むEEG監視とラベル付けされた専用領域内の領域816は、さらに赤色であり得る。加えて、脳834、領域814、および領域816における赤色の提示と同時に、ハブ100または脳活動を監視するために使用されるEEG監視デバイスによって可聴アラームが提示されてもよい。
【００７６】
ホストデバイス460のユーザは、ホストデバイス460、ソースデバイス(例えば、患者デバイス430のうちの1つ)、またはハブ100によって提示される可聴または視覚アラームを沈黙化させるユーザ入力をホストデバイス460に提供することができる。ホストデバイス460は、ホストデバイス460が接続されているまたは通信している任意のおよびすべてのデバイスにおけるアラームをさらに沈黙化させてもよい。ソースデバイスの可聴または視覚アラームを沈黙化させるとき、ソースデバイスに可聴アラームを沈黙化させる命令が生成され、ソースデバイスに送信され得る。例えば、ユーザは、ハブ100によって提示される可聴アラームを沈黙化させる、または、可聴アラームを沈黙化させるために命令を生成させ、EEG監視デバイスに送信させるユーザ入力を、表示上の領域418の選択を介して提供することができる。
【００７７】
図8Bは、アラームがホストデバイス460によって提示されるEEG監視アラーム表示850を示す。この例では、アラームパラメータの優先順位は、表示されている他のパラメータの優先順位と比較して相対的に低いので、アラームパラメータは、概要画面500において可視でなくてもよい。EEG監視アラーム表示850は、パラメータに関するアラームがトリガされると、アラームアイコン852(赤色であり得る)を示す。アラームアイコン852に加えて、EEG監視アラーム表示850は、アラームパラメータのソース(例えば、EEG監視)とアラーム限界を超えたパラメータ(例えば、PSi)とを示す、画面の上部中央における錠剤形メッセージ854も示す。2つ以上のパラメータがアラームを発している場合、パラメータは、錠剤形メッセージ内でシャッフルされてもよい。表示は、アラームを強調するために、例えば、錠剤形メッセージ854の背後の赤色光パルスなどの他の視覚的指示を提供してもよい。EEG監視アラーム表示850は、アラームパラメータに対応する臓器856を含むこともできる。例えば、表示は、臓器856の画像に関する赤色の表示を変更することができる。
【００７８】
アラームパラメータが画面レイアウトにおいて可視である状況において、表示は、アラームパラメータのフォント色を変更することができる。
【００７９】
患者データ表示システム462は、人体の3D画像を示すように構成され得るアラーム状態ビジュアライザを含むことができる。3D画像は、図5、図6A、図6B、図6C、および図7に示すものなどの複数のレイアウト画面上に存在してもよい。3D画像は、臓器のアニメーションを表示することができ、アラーム状態に対して色分けされ得る。アニメーションは、ホストデバイス460が関連する患者パラメータの値を受信することに基づいて更新され得る。
【００８０】
図9は、ディスプレイ476上などの3D画像の表示を示し、監視状態とアラーム状態とを表すために、特定の臓器が色分けされている。この例では、肺および心臓は、ビュー900Bおよび900Dにおいて強調表示される。肺および心臓は、例えば、肺もしくは心臓に関連するセンサから収集されたデータ、または肺もしくは心臓に関連するパラメータに基づいて、アニメーション化され得る。例えば、肺および心臓は、図5における血液ガスウィンドウ510において示されているものなどのパラメータ値に基づいてアニメーション化され得る。肺は、RRa(登録商標)およびRRp(登録商標)パラメータ値に基づいてアニメーション化され得、心臓は、脈拍数(PR)パラメータ値に基づいてアニメーション化され得る。
【００８１】
図9において、監視プロセス中の異なる時点に関する4つのビュー900A、900B、900C、および900Dが示されている。ビュー900Aにおいて、肺および心臓の色は、灰色において示されており、これは、対応する1つまたは複数の患者デバイス430が切断されているので監視がないことを表す。ビュー900Bは、1つまたは複数の患者デバイス430への接続の成功と、監視されているパラメータが正常範囲内にあることとを示す緑色における肺および心臓の色を示す。ビュー900Cは、1つまたは複数の患者デバイス430が接続されているが、像、通知、修飾子、通知デバイスが患者にリンクされていないことを示す黄色における肺および心臓の色を示す。ビュー900Dは、1つまたは複数の患者デバイス430が接続されている間、パラメータがアラーム範囲内にあることを示す赤色における肺および心臓の色を示す。
【００８２】
図10Aは、ホストデバイス460などのホストデバイスを介して、患者デバイス430のうちの1つなどのPoCデバイスの設定を調整するプロセス1000を示す。プロセス1000は、例えば、ホストデバイス460または本明細書で説明される別のデバイスによって実行されてもよい。プロセス1000は、患者データ表示システム462の一部としてプログラムされ得る。
【００８３】
ブロック1002において、PoCデバイスとホストデバイスとの間に接続が確立され得る。例えば、患者デバイス430のうちの1つが、直接またはハブ100を介してホストデバイス460に接続され得る。
【００８４】
ブロック1004において、ホストデバイスは、ユーザ入力を監視することができる。例えば、ホストデバイス460は、ユーザがディスプレイ464などのホストデバイス460のディスプレイ、またはホストデバイス460に関連する別のユーザ入力デバイスのディスプレイを作動させたかどうかを判定することができる。
【００８５】
ブロック1006において、ホストデバイスは、ホストデバイスがPoCデバイスの設定を調整するためのユーザ入力を受信したかどうかを判定することができる。例えば、ユーザは、患者パラメータのアラームをトリガするための条件(例えば、患者パラメータの値が閾値条件よりも上であるかまたは下であるか)を調整するために、ホストデバイス460によって提示されたユーザインターフェース上のスライダバーを調整することができる。アラームを調整するためのユーザインターフェースは、患者監視画面上のユーザインターフェース要素を作動させるユーザに応答して提示されてもよい。一例として、ユーザは、監視されている1つもしくは複数のパラメータに関するアラーム限界またはホストデバイス460によって監視される患者デバイス430のうちの1つもしくは複数に関するアラーム限界を調整するためのユーザインターフェース画面をホストデバイス460に表示させるために、ディスプレイ464上のメニュー要素512を選択することができる。
【００８６】
ユーザ入力が受信されない場合、プロセス1000は、ブロック1004に戻り、ホストデバイスにおけるユーザ入力が継続的に監視される。ブロック1004において、ユーザ入力が受信された場合、ホストデバイスは、調整されたセットに従ってPoCデバイスを更新させることができる。例えば、アラーム限界がユーザによって調整された場合、患者デバイス430のうちの1つは、調整された限界をPoCデバイスに(直接またはハブ100を介して)伝達することができ、これは、調整された限界に基づいて関連する患者パラメータのアラームを患者デバイス430のうちの１つに生成させる。
【００８７】
図11は、ホストデバイスに関連するディスプレイ上に患者測定データを提示するプロセス1100を示す。プロセス1100は、例えば、ホストデバイス460または本明細書で説明される別のデバイスによって実行され得、患者データ表示システム462の一部としてプログラムされ得る。
【００８８】
ブロック1102において、ホストデバイスは、患者デバイス430のうちの1つなどの第1のPoCデバイスによって収集された第1の測定データを受信することができる。
【００８９】
ブロック1104において、ホストデバイスは、患者デバイス430のうちの別のものなどの第2のPoCデバイスによって収集された第2の測定データを受信することができる。ホストデバイス460は、第1のPoCデバイスまたは第2のPoCデバイスと、直接(例えば、有線またはワイヤレス通信を介して)または間接的に(例えば、ハブ100または本明細書で開示される別のデバイスなどを介して)通信することができる。
【００９０】
ブロック1106において、第1の測定データと第2の測定データとを提示するために、ホストデバイスのための画面が選択され得る。画面は、表示のためにホストデバイス460に接続されているデバイスのタイプ、表示されているパラメータのタイプ、または測定データのタイプの優先順位などに基づいて選択されてもよい。
【００９１】
ブロック1108において、ホストデバイスは、表示の第1の領域において第1の測定データを提示し、表示の第2の領域において第2の測定データを提示することができる。結果として、ホストデバイス460は、患者に関する臨床シナリオ、ユースケース、または生理学的システムに基づいてデータをグループ化することができる。
【００９２】
ブロック1110において、ホストデバイスは、少なくとも第1の測定データまたは第2の測定データに基づいて、患者の3D画像のアニメーションを更新することができる。例えば、3D画像は、ユーザの脳または肺の一部を含んでもよい。脳または肺のアニメーションは、第1または第2のデータに基づいてアラームがトリガされているという判定に応じて、緑色から赤色に色を変更してもよい。
インターフェースのカスタマイズ
【００９３】
本明細書で説明する表示のレイアウトは、臨床医または他の非臨床医ユーザなどのユーザによってカスタマイズされ得る。レイアウトには、例えば、表示の特定のレイアウトの一部またはすべてを一緒にカバーする、ユーザが選択したデータ提示モジュール(ときにはコンテナまたは表示要素と呼ばれる)が部分的にまたは完全に取り込まれ得る。取り込み済みのレイアウトは、次いで、1つまたは複数のデバイスからの測定データを受信し、測定データに基づいて提示またはアニメーション化してもよい。このようにして、表示による情報の提示は、介護者のタイプ、実行されている手順、ユーザの好みなどに対して調整され得る。
【００９４】
図12は、情報を提示するための、ディスプレイ476などのホストデバイスのディスプレイ上の空の画面1200を示す。空の画面1200は、フッター1202とキャンバス1204とを含む2つの領域に分割され得る。図5、図6A〜図6C、図7、および図8、ならびに本明細書の他の箇所の例に示すように、フッター1202は、数ある情報またはインターフェース制御の中で、患者の識別子、患者が治療されている理学療法施設内の部屋の識別子、または、キャンバス1204上の情報の表示に対応する生理学的システムもしくはテンプレートの識別子を含むことができる。キャンバス1204は、数ある情報またはインターフェース制御の中で、例えば、図5、図6A〜図6C、図7、および図8、ならびに本明細書の他の箇所に示すように、様々な測定データを提示することができる。
【００９５】
一例において、キャンバス1204は、25行の正方形に分割され得、各正方形は、キャンバス1204の高さの約4%の高さを有してもよい。キャンバス1204は、行ごとに48の正方形を含むことができ、各正方形の幅は、キャンバス1204の幅の約2.1%である。1280×1920の解像度について、各正方形は、40×40ピクセルであってもよい。他の例において、キャンバス1204は、異なる数の行、異なるサイズの正方形もしくは他の形状、または行ごとに異なる数の正方形に分割され得る。1つまたは複数の外側の行または列は、測定データまたはユーザインターフェース制御を含んでも含まなくてもよい。
【００９６】
図13は、ディスプレイ476などのホストデバイスのディスプレイ上の境界ボックス画面1300を示す。境界ボックス画面1300は、特定の測定データに関する数値、ゲージ、または傾向の周囲に配置された境界ボックス1302、1304、1306、1308、1310を含むことができ、同様に、境界ボックス1302、1304、1306、1308、1310の特定の1つによって表示された測定データに関連するパラメータを示す識別子を含むことができる。境界ボックス1302、1304、1306、1308、1310は、ユーザによって(例えば、ドラッグアンドドロップアクションによって)表示上をあちこち移動され得、表示によって境界ボックス画面1300上のグリッドラインに整列され得、境界ボックス画面1300が配置および編成されるように互いに重なり合わないようにされ得る。境界ボックス1302、1304、1306、1308、1310は、いくつかの例では、重なり合うことが許可されてもよい。境界ボックス1302、1304、1306、1308、1310は、構成モード(例えば、患者の測定データを提示していないときのモード)において移動されてもよいが、動作モード(例えば、患者の測定データを提示しているときのモード)において移動されなくてもよく、または、任意のモードにおいて移動されてもよい。SpO2%が境界ボックス1302、1304、1306、1308、1310のすべてについての関連するパラメータとして示されている場合があるが、これは、単に例示の目的のためであり、本明細書で説明する他のパラメータ、またはさらに他のパラメータが境界ボックス1302、1304、1306、1308、1310を介して提示されてもよい。
【００９７】
図14は、ディスプレイ476などのホストデバイスのディスプレイ上のパラメータコンテナ画面1400を示す。パラメータコンテナ画面1400は、小、中、大、または特大などの様々なサイズのパラメータコンテナを含むことができる。パラメータコンテナは、様々な異なる形式または様々な異なるフォーマットにおいて測定データを提示することができる。パラメータコンテナ画面1400の特定の要素間の間隔は、特定のパラメータコンテナのパーセンテージとして示される。パラメータコンテナ画面1400の特定の要素のサイズは、背景グリッドの正方形の数として示される。パラメータコンテナは、図13に関して説明したように境界ボックスによって各々が取り囲まれてもよく、または、ユーザによって表示のレイアウトの周囲を移動されてもよい。
【００９８】
図15Aおよび図15Bは、ディスプレイ476などのホストデバイスのディスプレイ上の傾向コンテナ画面1500A、1500Bを示す。傾向コンテナ画面1500A、1500Bは、極小の高いもしくは短い、小の高いもしくは短い、中の高いもしくは短い、大の高いもしくは短い、または特大の高いもしくは短いなどの様々なサイズの傾向コンテナを含むことができる。パラメータコンテナは、様々な異なる形式または様々な異なるフォーマットにおいて測定データを提示することができる。傾向コンテナ画面1500A、1500Bの特定の要素間の間隔またはそれらのサイズは、特定のパラメータコンテナのパーセンテージとして示される。傾向コンテナ画面1500A、1500Bの特定の要素のサイズは、背景グリッドの正方形の数として示される。傾向コンテナは、図13に関して説明したように境界ボックスによって各々が取り囲まれてもよく、または、ユーザによって表示のレイアウトの周囲を移動されてもよい。
【００９９】
図16は、ディスプレイ476などのホストデバイスのディスプレイ上の波形コンテナ画面1600を示す。波形コンテナ画面1600は、小の高いもしくは短い、中の高いもしくは短い、または大の高いもしくは短いなどの様々なサイズの波形コンテナを含むことができる。波形コンテナは、様々な異なる形式または様々な異なるフォーマットにおいて測定データを提示することができる。波形コンテナ画面1600の特定の要素のサイズは、背景グリッドの正方形の数として示される。波形コンテナは、図13に関して説明したように境界ボックスによって各々が取り囲まれてもよく、または、ユーザによって表示のレイアウトの周囲を移動されてもよい。
【０１００】
図17は、ディスプレイ476などのホストデバイスのディスプレイ上の人体画像コンテナ画面1700を示す。人体画像コンテナ画面1700は、小、中、大、特大などの様々なサイズの人体画像コンテナを含むことができる。人体画像コンテナは、本明細書の他の場所で説明されているように、様々な異なる形式または様々な異なるフォーマットにおいて測定データまたはアラームを提示することができる。人体画像コンテナ画面1700の特定の要素のサイズは、背景グリッドの正方形の数として示される。人体画像コンテナは、図13に関して説明したように境界ボックスによって各々が取り囲まれてもよく、または、ユーザによって表示のレイアウトの周囲を移動されてもよい。
【０１０１】
図18Aは、ディスプレイ476などのホストデバイスのディスプレイにおける提示のためのテンプレートの選択のためのテンプレート選択画面1800Aを示す。テンプレート選択画面1800Aは、テンプレート1802、1804、1806、1808、1810、1812、1814を含むことができる。見てわかるように、テンプレート1808は、図18Aにおいて選択され、テンプレート1802、1804、1806、1808、1810、1812、1814の上の領域において表示され得る。テンプレート1802、1804、1806、1808、1810、1812、1814は、互いに異なる数またはタイプのコンテナを含むことができ、互いに異なるフォーマットまたは編成を有してもよい。
【０１０２】
図18Bは、ディスプレイ476などのホストデバイスのディスプレイの構成のためのレイアウト画面1800Bを示す。レイアウト画面1800Bは、バイタルサインタブ1822と、循環動態タブ1824と、酸素化タブ1826と、鎮静タブ1828と、人体画像タブ1830と、パラメータ選択領域1832と、検索領域1834とを含むことができる。バイタルサインタブ1822、循環動態タブ1824、酸素化タブ1826、鎮静タブ1828、および人体画像タブ1830は、パラメータ選択領域1832からの選択または検索領域1834を介するパラメータ検索によって、対応する画面のために表示されるパラメータまたは測定データをユーザが調整することを可能にし得る。
【０１０３】
図18Cは、ディスプレイ476などのホストデバイスのディスプレイの構成のためのレイアウト構築画面1800Cを示す。レイアウト構築画面1800Cは、脈拍数コンテナ1840とコンテナスロット1842とを含むことができる。図示のように、ユーザは、コンテナスロット1842における画面のレイアウトの一部として脈拍数コンテナ1840を含むために、脈拍数選択領域1844から脈拍数コンテナ1840をドラッグし、コンテナスロット1842内に脈拍数コンテナ1840をドロップすることができる。
【０１０４】
図18Dは、ディスプレイ476などのホストデバイスのディスプレイの構成のための設定変更画面1800Dを示す。設定変更画面1800Dは、追加の脈拍数コンテナ1852内の提示測定データに関連するフォーマット設定を調整するための設定インターフェース要素1850を含むことができる。設定インターフェース要素1850は、(例えば、追加脈拍コンテナによって提示される数のフォーマットを選択するための)数値変更要素と、(例えば、追加脈拍数コンテナによって提示されるデータのサイズを選択するための)小変更要素と、(例えば、追加脈拍数コンテナによって提示される情報のサイズを選択するための)色変更要素と、(例えば、追加脈拍数コンテナによって提示されるデータのソース、優先順位、または順序を選択または構成するための)詳細表示要素と、(例えば、現在のレイアウトから追加脈拍数コンテナを削除するための)除去要素とを含むことができる。詳細表示要素は、一実装形態において、例えば、十分な品質レベルが利用可能な場合、または十分な品質レベルであると判定された場合、オキシメータデータから導出されたPRが、音響データから導出されたPRよりも優先され、したがって、最初に提示されるように、あるデータの製造業者またはソースを他のものよりも優先するために使用され得る。設定インターフェース要素1850は、現在のレイアウト上の他の追加コンテナを構成するために同様に提示されて使用され得る。
【０１０５】
図18Eは、ディスプレイ476などのホストデバイスのディスプレイの構成のための選択検索画面1800Eを示す。選択検索画面1800Eは、特定の画面またはテンプレートの一部として表示され得るパラメータを検索するための検索制御領域1860を含むことができる。選択検索画面1800Eは、例えば、レイアウト画面1800Bの検索領域1834の選択時に出現することができる。
【０１０６】
図19は、ディスプレイ476などのホストデバイスのディスプレイの構成のための別のレイアウト構築画面1900を示す。別のレイアウト構築画面1900は、脈拍数コンテナ1902とコンテナスロット1904とを含むことができる。図示のように、ユーザは、コンテナスロット1904における画面のレイアウトの一部として脈拍数コンテナ1902を含むために、脈拍数選択領域1906から脈拍数コンテナ1902をドラッグし、コンテナスロット1904内に脈拍数コンテナ1902をドロップすることができる。コンテナスロット1904は、テンプレート選択画面1800A上のテンプレート1814の選択などによって、空の背景テンプレート内に提示され得る。
【０１０７】
図20は、ディスプレイ476などのホストデバイスのディスプレイの構成を保存するためのレイアウト保存画面2000を示す。レイアウト保存画面2000は、割り当てられて保存され、次いでカスタムレイアウトを取得または共有するために使用され得るカスタムレイアウトのテンプレート名(例えば、「無題のレイアウト2018_05_18」)をユーザが入力し得るレイアウト名領域2002を含むことができる。カスタムレイアウトは、ホストデバイスにローカルに保存され得、または、MMS434のようなサーバもしくはハブ100のようなコンピュータなどの他のデバイスに保存または共有され、次に、測定データを共有または同様に表示するために他のデバイスによって使用されてもよい。
【０１０８】
図21、図22、図23、図24、図25、図26、および図27は、本明細書で説明するように測定データを含む情報を提示するための例示的なテンプレートを示す。様々なテンプレートは、様々なケア条件、ユースケース、または患者の治療に使用可能または望ましい可能性がある。様々なテンプレートは、さらに、ユーザがレイアウトを構築するための開始点として機能することができ、改訂された優先順位もしくは順序で、または異なるフォーマットを用いて、特定の測定データまたはインターフェース制御を含むかまたは除外するように、または異なるソースからのデータを提示するようにさらにカスタマイズされ得る。
用語
【０１０９】
「プレチスモグラフ」という用語は、当該技術分野において知られている通常の広い意味を含み、臓器または全身内の容積の変化(通常、それが含む血液または空気の量の変動から生じる)に応答するデータを含む。
【０１１０】
以下の説明は、本質的に単なる例示であり、本開示、その用途、または使用を限定することを決して意図していない。明確にするために、同じ参照番号は、同様の要素を識別するために図面において使用される。方法内のステップは、本開示の原理を変更することなく、異なる順序において実行されてもよいことが理解されるべきである。本明細書では様々な特定のパラメータ測定値について説明しているが、特定のパラメータ測定値は、様々なウィンドウ、センサ、またはモニタに関連付けられ得る測定値の単なる例示である場合がある。追加のまたは代替的な特定のパラメータ測定値が使用または提供されてもよい。
【０１１１】
本明細書で使用される場合、モジュールという用語は、特定用途向け集積回路(ASIC)、電子回路、組合せ論理回路、フィールドプログラマブルゲートアレイ(FPGA)、コードを実行するプロセッサ(共有、専用、またはグループ)、説明した機能を提供する他の適切な構成要素、またはシステムオンチップ内などの上記の一部またはすべての組合せを指してもよく、その一部であってもよく、またはそれらを含んでもよい。モジュールという用語は、プロセッサによって実行されるコードを記憶するメモリ(共有、専用、またはグループ)を含んでもよい。
【０１１２】
上記で使用されるコードという用語は、ソフトウェア、ファームウェア、またはマイクロコードを含んでもよく、プログラム、ルーチン、関数、クラス、またはオブジェクトを指してもよい。上記で使用される共有という用語は、複数のモジュールからの一部またはすべてのコードが単一の(共有)プロセッサを使用して実行されてもよいことを意味する。加えて、複数のモジュールからの一部またはすべてのコードは、単一の(共有)メモリによって記憶されてもよい。上記で使用されるグループという用語は、単一のモジュールからの一部またはすべてのコードがプロセッサのグループを使用して実行されてもよいことを意味する。加えて、単一のモジュールからの一部またはすべてのコードは、メモリのグループを使用して記憶されてもよい。
【０１１３】
本明細書で説明される装置および方法は、1つまたは複数のプロセッサによって実行される1つまたは複数のコンピュータプログラムによって実装されてもよい。コンピュータプログラムは、非一時的な有形のコンピュータ可読媒体上に記憶されたプロセッサ実行可能命令を含む。コンピュータプログラムは、記憶されたデータも含んでもよい。非一時的な有形のコンピュータ可読媒体の非限定的な例は、不揮発性メモリ、磁気記憶装置、および光学記憶装置である。上記は、特定の好ましい実施形態に関して説明されてきたが、他の実施形態が、本明細書の開示から当業者には明らかであろう。加えて、他の組合せ、省略、置換、および修正が、本明細書の開示を考慮して当業者には明らかであろう。したがって、本開示は、好ましい実施形態の反応によって限定されることを意図しておらず、特許請求の範囲への参照によって定義されることを意図している。
【０１１４】
とりわけ、「できる」、「してもよい」、「してもよい」、「たとえば」などの本明細書で使用される条件付き言語は、特に指示のない限り、または使用される文脈内で異なって理解されない限り、一般に、特定の特徴、要素、または状態を特定の実施形態が含むが、他の実施形態が含まないことを伝達することを意図している。したがって、そのような条件付き言語は、特徴、要素、もしくは状態が1つもしくは複数の実施形態に何らかの方法で必要とされること、または、1つもしくは複数の実施形態が、オーサの入力もしくは促しありまたはなしで、これらの特徴、要素、もしくは状態が任意の特定の実施形態において含まれるかもしくは実行されるべきかどうかを決定するためのロジックを必ず含むことを一般に意図していない。「備える」、「含む」、「有する」などの用語は、同義語であり、制限のない様式で包括的に使用され、追加の要素、特徴、行為、動作などを除外しない。また、「または」という用語は、例えば、要素のリストを接続するために使用される場合、「または」という用語がリスト内の要素のうちの1つ、一部、またはすべてを意味するように、その包括的な意味において(その排他的な意味ではなく)使用される。さらに、本明細書で使用される「各々」という用語は、その通常の意味を有することに加えて、「各々」という用語が適用される要素のセットの任意のサブセットを意味することができる。
【０１１５】
加えて、本明細書で言及されたすべての刊行物、特許、および特許出願は、個々の刊行物、特許、または特許出願が参照により本明細書に組み込まれることが具体的かつ個別に示されている場合と同程度に参照により本明細書に組み込まれる。
【符号の説明】
【０１１６】
100  医療監視ハブ、ハブ
102  ポータブル患者モニタ、モニタ、患者モニタ
104  ディスプレイ
106  ドッキングステーション
108  ハウジング
110  表示指標
114  ディスプレイ
116  表示のしるし
118  機械的ラッチ
200  監視環境
202  患者センサ、センサ
204  マルチ患者監視サーバ、サーバ
206  介護者バックエンドシステム
210  シリアルデータポート
211  NIBPセンサまたはシステム、センサ
212  チャネルデータポート
213  温度センサまたはセンサシステム、センサ
214  電子患者ベッドシステム
216  注入ポンプシステム
218  人工呼吸器システム
220  バイタルサイン測定システム
222  意識深度モニタ
224  脳または臓器のオキシメータデバイス
226  非侵襲的血圧または音響デバイス
227  カプノグラフィデバイス
400  コンピューティング環境
430  患者デバイス
432  医療ネットワークインターフェース
434  マルチ患者監視サーバ(MMS)、MMS
436  病院デバイス、デバイス
438  臨床医デバイスまたは患者デバイス、デバイス
450  病院ネットワーク
452  外部ネットワーク
454  EMR
460  ホストデバイス
462  患者データ表示システム
470  ハウジング
472  プロセッサ
474  メモリ
476  ディスプレイ
478  入力/出力(I/O)インターフェース、入力/出力インターフェース
500  概要画面
502  肺
504  脳
506  心臓
508  領域
510  血液ガスウィンドウ
512  メニュー要素
522A  麻酔/通気ウィンドウ
522B  注入ポンプウィンドウ
522C  モニタウィンドウ
524A EEGウィンドウ
524B  局所オキシメータ額右ウィンドウ
524C  局所オキシメータ額左ウィンドウ
530  患者識別子領域
532  患者部屋領域
602  領域
604  領域
606  領域
702  タブ
704  タブ
706  タブ
816  領域
834  脳
850  EEG監視アラーム表示
852  アラームアイコン
854  錠剤型メッセージ
900A  ビュー
900B  ビュー
900C  ビュー
900D  ビュー
1202  フッター
1204  キャンバス
1300  境界ボックス画面
1302  境界ボックス
1304  境界ボックス
1306  境界ボックス
1308  境界ボックス
1310  境界ボックス
1400  パラメータコンテナ画面
1500A  傾向コンテナ画面
1500B  傾向コンテナ画面
1600  波形コンテナ画面
1700  人体コンテナ画面
1800A  テンプレート選択画面
1800B  レイアウト画面
1800C  レイアウト構築画面
1800D  設定変更画面
1800E  選択検索画面
1802  テンプレート
1804  テンプレート
1806  テンプレート
1808  テンプレート
1810  テンプレート
1812  テンプレート
1814  テンプレート
1822  バイタルサインタブ
1824  循環動態タブ
1826  酸素化タブ
1828  鎮静タブ
1830  人体画像タブ
1832  パラメータ選択領域
1834  検索領域
1840  脈拍数コンテナ
1842  コンテナスロット
1844  脈拍数選択領域
1850  設定インターフェース要素
1852  脈拍数コンテナ
1860  検索制御領域
1900  レイアウト構築画面
1902  脈拍数コンテナ
1904  コンテナスロット
1906  脈拍数選択領域
2000  レイアウト保存画面
2002  レイアウト名領域
【図１】
2021500128.tif 000003
【図２】
2021500128.tif 000004
【図３】
2021500128.tif 000005
【図４Ａ】
2021500128.tif 000006
【図４Ｂ】
2021500128.tif 000007
【図５】
2021500128.tif 000008
【図６Ａ】
2021500128.tif 000009
【図６Ｂ】
2021500128.tif 000010
【図６Ｃ】
2021500128.tif 000011
【図７】
2021500128.tif 000012
【図８Ａ】
2021500128.tif 000013
【図８Ｂ】
2021500128.tif 000014
【図９】
2021500128.tif 000015
【図１０】
2021500128.tif 000016
【図１１】
2021500128.tif 000017
【図１２】
2021500128.tif 000018
【図１３】
2021500128.tif 000019
【図１４】
2021500128.tif 000020
【図１５Ａ】
2021500128.tif 000021
【図１５Ｂ】
2021500128.tif 000022
【図１６】
2021500128.tif 000023
【図１７】
2021500128.tif 000024
【図１８Ａ】
2021500128.tif 000025
【図１８Ｂ】
2021500128.tif 000026
【図１８Ｃ】
2021500128.tif 000027
【図１８Ｄ】
2021500128.tif 000028
【図１８Ｅ】
2021500128.tif 000029
【図１９】
2021500128.tif 000030
【図２０】
2021500128.tif 000031
【図２１】
2021500128.tif 000032
【図２２】
2021500128.tif 000033
【図２３】
2021500128.tif 000034
【図２４】
2021500128.tif 000035
【図２５】
2021500128.tif 000036
【図２６】
2021500128.tif 000037
【図２７】
2021500128.tif 000038
【国際調査報告】
2021500128.tif 000039
2021500128.tif 000040
2021500128.tif 000041
2021500128.tif 000042
2021500128.tif 000043